(57)【要約】【課題】読み取った画像データの出力範囲を操作者の所望する範囲に簡便且つ適正に設定することのできる読取装置および読取装置の制御プログラムを提供すること。【解決手段】一時停止キーが入力されていれば（Ｓ２５：Ｙｅｓ）、所定の指定の入力であるので、ＬＣＤ４１に表示されている画像データに対応する範囲を、出力先装置に出力可能な出力範囲として規定する。また、一時停止キーが入力されていなければ（Ｓ２５：Ｎｏ）、遅延カウンタのカウント値が１００に達するまで、カウント値に１加算し（Ｓ２６）、次ラインの画像データの表示を遅延させる。【選択図】図５
2008011373.tif 000002
【特許請求の範囲】
【請求項１】
原稿の画像を画像データとして順次読み取る読取手段と、その読取手段により読み取った画像データを表示する表示器と、操作者により操作される複数の操作子を備えた操作部と、各種データを入力可能に構成された出力先装置に前記読取手段にて読み取った画像データを出力する出力手段と、前記読取手段により画像データが読み取られる毎に、その画像データを記憶部に順次記憶する画像データ記憶手段とを備えた読取装置において、
画像データの範囲を特定するための特定範囲情報を記憶する特定範囲情報記憶手段と、
その特定範囲情報記憶手段に記憶される特定範囲情報に基づき、前記画像データ記憶手段により前記記憶部に記憶された画像データに対し範囲を特定すると共に、その特定範囲が所定のタイミングで所定量ずつ更新されるように前記特定範囲情報を更新する特定範囲管理手段と、
前記記憶部に記憶されている画像データに基づく画像を前記表示器に表示させると共に、その表示画像に対し、前記特定範囲情報記憶手段における特定範囲情報に基づき、所定量ずつ更新される特定範囲を、前記表示器において視覚的に認識可能に表示する表示制御手段と、
その表示制御手段による前記特定範囲の表示が所定量ずつ更新される更新間隔を、前記所定量の画像データを前記画像データ記憶手段が前記記憶部に記憶する間隔よりも長くなるように制御するタイミング制御手段と、
前記操作部を介して入力される所定の指定を検出する指令検出手段と、
その指令検出手段により所定の指定が検出されたことを条件として、前記特定範囲管理手段にて更新された最後の特定範囲情報が示す特定範囲を、前記出力手段にて出力される画像データの出力範囲として規定する範囲規定手段とを備えていることを特徴とする読取装置。
【請求項２】
前記タイミング制御手段は、更新間隔の時間をカウントするカウント手段を備えており、そのカウント手段によるカウント値が所定値に達したことを条件として、前記表示制御手段に特定範囲の表示を更新させるものであることを特徴とする請求項１記載の読取装置。
【請求項３】
前記操作部を介して入力される入力値に基づいて、前記カウント手段によってカウントされる所定値を設定する所定値設定手段を備えたことを特徴とする請求項２記載の読取装置。
【請求項４】
前記表示制御手段は、前記特定範囲情報記憶手段に記憶される特定範囲情報により特定される範囲の画像データを前記表示器に表示するものであることを特徴とする請求項１から３のいずれかに記載の読取装置。
【請求項５】
前記特定範囲管理手段は、画像データの特定範囲が、所定量ずつ増加するように前記特定範囲情報を更新するものであることを特徴とする請求項４記載の読取装置。
【請求項６】
前記表示制御手段は、表示されている画像データの中で表示順の古いものから削除して、その削除した表示領域に残る画像データを移動表示させると共に、新たな所定量の画像データをその空き領域に表示させるように制御することを特徴とする請求項５記載の読取装置。
【請求項７】
前記指令検出手段により所定の指定が検出されることを条件として、前記特定範囲管理手段は、特定範囲情報の更新処理を停止することを特徴とする請求項１から６のいずれかに記載の読取装置。
【請求項８】
前記特定範囲管理手段は、原稿の読み取り開始端を前記特定範囲の開始端として特定するものであり、
前記範囲規定手段は、前記指令検出手段により所定の指定が検出されると、前記特定範囲管理手段が最後に更新した特定範囲情報により新たに特定された端部を出力範囲の終端とし、原稿の読み取り開始端から前記終端までを前記出力手段にて出力される画像データの出力範囲として規定することを特徴とする請求項１から７のいずれかに記載の読取装置。
【請求項９】
前記表示制御手段は、前記画像データに基づいて前記表示器に表示される画像に対し、その特定範囲を識別するためのマーカを、前記特定範囲管理手段にて更新される特定範囲情報に応じた位置に表示するマーカ表示手段を備えていることを特徴とする請求項１から３のいずれかに記載の読取装置。
【請求項１０】
前記特定範囲管理手段は、画像データの特定範囲が、所定量ずつ増加するように前記特定範囲情報を更新するものであることを特徴とする請求項９記載の読取装置。
【請求項１１】
前記特定範囲管理手段は、前記指令検出手段により所定の指定が検出されることを条件として特定範囲情報の更新処理を停止するものであり、
前記マーカ表示手段によるマーカの表示は、前記特定範囲管理手段が特定範囲情報の更新処理を停止をさせると静止されることを特徴とする請求項９又は１０に記載の読取装置。
【請求項１２】
前記マーカ表示手段は、前記表示器に表示された画像の一端から他端へ向かって前記マーカを移動表示させるものであり、
前記特定範囲管理手段は、前記表示器に表示された画像データに基づく画像の前記マーカの移動開始側の端部を、特定範囲の開始端とするものであり、
前記範囲規定手段は、前記指令検出手段により所定の指定が検出されると、前記特定範囲管理手段が最後に更新した特定範囲情報により新たに特定された端部を出力範囲の終端とし、原稿の読み取り開始端から前記終端までを前記出力手段にて出力される画像データの出力範囲として規定することを特徴とする請求項９から１１のいずれかに記載の読取装置。
【請求項１３】
前記指令検出手段は、複数回の所定の指定を検出するものであり、
前記範囲規定手段は、１の所定の指定が前記指令検出手段にて検出された場合に、前記特定範囲情報記憶手段に記憶される特定範囲情報によって特定した画像データの端部を規定範囲の一端とし、その１の所定の指定の次に前記指令検出手段が所定の指定を検出した場合に、前記特定範囲情報記憶手段に記憶される特定範囲情報によって特定した画像データの別の端部を画像データの規定範囲の他端とし、前記一端と他端とで挟まれた画像データを出力範囲として規定するものであることを特徴とする請求項９から１１のいずれかに記載の読取装置。
【請求項１４】
前記出力先装置を指定する装置指定手段を備えており、
前記出力手段は、前記指令検出手段により所定の指令が検出されたタイミングで前記範囲規定手段によって規定された出力範囲の画像データを、前記装置指定手段にて指定された出力先装置に出力するものであることを特徴とする請求項１から１３のいずれかに記載の読取装置。
【請求項１５】
前記操作部を介して入力され前記範囲規定手段にて規定された画像データの出力範囲を変更する変更情報を検出する変更情報検出手段と、
その変更情報検出手段により変更情報の入力が検出された場合、前記記憶部に記憶されている画像データの内、変更情報にて特定される範囲の画像データを前記範囲規定手段により規定された出力範囲の画像データに対し付加または削除して、画像データの出力範囲を変更する変更手段を備えており、
前記出力手段は、前記変更手段による変更が実行された場合には、変更後の出力範囲に対応する画像データを出力するものであることを特徴とする請求項１から１４のいずれかに記載の読取装置。
【請求項１６】
原稿の画像を画像データとして順次読み取る読取手段と、その読取手段により読み取った画像データを表示する表示器と、操作者により操作される複数の操作子を備えた操作部と、各種データを入力可能に構成された出力先装置に前記読取手段にて読み取った画像データを出力する出力手段と、前記読取手段により画像データが読み取られる毎に、その画像データを記憶部に順次記憶する画像データ記憶手段とを備えた読取装置において、
前記読取手段が前記原稿の画像を読み取る読取速度よりも遅い速度で、前記画像データ記憶手段によって記憶部に記憶された画像データを、所定順に従って順次、前記表示器に表示する表示制御手段と、
前記操作部を介して入力される所定の指定を検出する指令検出手段と、
その指令検出手段により、所定の指定が検出されると、前記表示制御手段により前記表示器に表示された画像データの内容に基づき、前記出力手段にて出力される前記原稿の画像データの出力範囲を規定する範囲規定手段とを備えていることを特徴とする読取装置。
【請求項１７】
原稿の画像を画像データとして順次読み取る読取手段と、その読取手段により読み取った画像データを表示する表示器と、操作者により操作される複数の操作子を備えた操作部とを備えた読取装置において実行される読取装置の制御プログラムにおいて、
各種データを入力可能に構成された出力先装置に前記読取手段にて読み取った画像データを出力する出力ステップと、
前記読取手段にて読み取った原稿の画像データを記憶部に記憶する画像データ記憶ステップと、
画像データの範囲を特定するための特定範囲情報に基づき、前記画像データ記憶ステップにより前記記憶部に記憶された画像データに対し範囲を特定すると共に、その特定範囲が所定のタイミングで所定量ずつ更新されるように前記特定範囲情報を更新する特定範囲管理ステップと、
前記記憶部に記憶されている画像データに基づく画像を前記表示器に表示させると共に、その表示画像に対し、前記特定範囲情報に基づき、所定量ずつ更新される特定範囲を、前記表示器において視覚的に認識可能に表示する表示制御ステップと、
その表示制御ステップによる前記特定範囲の表示が所定量ずつ更新される更新間隔を、前記所定量の画像データを前記画像データ記憶ステップが前記記憶部に記憶する間隔よりも長くなるように制御するタイミング制御ステップと、
前記操作部を介して入力される所定の指定を検出する指令検出ステップと、
その指令検出ステップにより所定の指定が検出されたことを条件として、前記特定範囲管理ステップにて更新された最後の特定範囲情報が示す特定範囲を、前記出力ステップにて出力される画像データの出力範囲として規定する範囲規定ステップとを備えていることを特徴とする読取装置の制御プログラム。
【発明の詳細な説明】
【技術分野】
【０００１】
本発明は読取装置および読取装置の制御プログラムに関し、特に、読み取った画像データの出力範囲を操作者の所望する範囲に簡便且つ適正に設定することのできる読取装置および読取装置の制御プログラムに関するものである。
【背景技術】
【０００２】
ファクシミリやコピー機、スキャナ等の読取装置には、操作キーや表示部が設けられており、ユーザは操作キーを使って操作し、その操作状態を表示部で認識する。操作キーの操作によって原稿の読み取りが開始されると、読み取られた原稿の画像データは、出力先装置に出力される。読取装置がファクシミリであれば、出力先装置は回線を介して接続される相手側のファクシミリであり、読み取った画像データは、回線を介して送信される。また、読取装置がコピー機であれば、出力先装置は内蔵されるプリンタであり、読み取った画像データは該プリンタにて記録用紙に印刷される。また、読取装置がスキャナであれば、読み取った画像データは、出力先装置であるパーソナルコンピュータ（以下単に「ＰＣ」と称す）に出力される。ＰＣに入力された画像データは、ＰＣに接続されたプリンタによって印刷、或いは、ドライバを介して記憶媒体へ書き込まれる。
【０００３】
また、近年においては、読み取った画像データを、読取装置と一体または別体で設けられた表示部に出力して表示し、読み取った画像データの確認を行うことのできるものが提案されている。かかる読取装置では、原稿を読み取るスキャナ部は、原稿面からの入射光をＣＣＤなどで電気信号に変換し、得られたアナログ信号をＡ／Ｄコンバータを介してデジタルデータの画像データに変換して出力する。装置内部では、スキャナ部から出力された画像データを記憶手段に記憶した後、表示用の解像度に応じて画像データを抽出して、表示部に出力する。表示の解像度のほうが、読み取りの解像度よりも一般に低いためである。そして、この表示部への表示が、スキャナ部での読み取りとほぼ同時に行われるように、読取装置は構成されている（特許文献１参照）。
【特許文献１】特開２００１−３３７６６２号公報
【発明の開示】
【発明が解決しようとする課題】
【０００４】
しかしながら、ファクシミリやコピー機では、読み取りも、読み取った画像データの出力先装置への出力も原稿単位で実行されるので、原稿に不要な画像データが含まれていても、読み取った原稿の全画像データが出力先装置に出力されてしまうという問題点があった。つまり、読取装置においては、不要な画像部分に対しても出力処理が実行されるので、読み取りから出力までの処理全体にかかる時間が長時間化してしまうという問題点があった。一方、出力先装置側においても、不要な画像データを受信しなくてはならず、その受信処理や出力処理に無駄に時間がかかり、さらに記録紙やインク等も無駄に消費されるという問題点があった。
【０００５】
上記特許文献１に記載の装置には、読み取った画像データを順次表示する表示手段が備えられているので、現在の読取位置を表示手段にて確認することはできるが、かかる特許文献１に記載される装置では、原稿画像を部分的に読み取ることはできないという問題点があった。
【０００６】
更には、特許文献１に記載される装置では、読み取りが高速に行われるほど表示も高速に行われることとなり、操作者が表示される画像データを目視にて確認する作業が高度になるという問題点があった。特に、複数枚の原稿の読み取りを連続的に行わせる場合など、次々に表示画面が変化してしまうため、操作者は、原稿の読み取りが実際に行われていると認識し得る程度の確認作業しかできない。このため、原稿の読み取りに並行して表示部に表示される画像データから、操作者が、読み取られた画像データの詳細な確認（各原稿の順序や、読み取り原稿が所望の原稿であるかなど）を行うことは困難であった。従って、その読み取りに並行して表示される原稿画像に対し、その一部の画像データを出力範囲として規定するといった作業を操作者が行うことは、従来の読取装置では実現困難であった。
【０００７】
本発明は上述した問題点を解決するためになされたものであり、読み取った画像データの出力範囲を操作者の所望する範囲に簡便且つ適正に設定することのできる読取装置および読取装置の制御プログラムを提供することを目的としている。
【課題を解決するための手段】
【０００８】
この目的を達成するために請求項１記載の読取装置は、原稿の画像を画像データとして順次読み取る読取手段と、その読取手段により読み取った画像データを表示する表示器と、操作者により操作される複数の操作子を備えた操作部と、各種データを入力可能に構成された出力先装置に前記読取手段にて読み取った画像データを出力する出力手段と、前記読取手段により画像データが読み取られる毎に、その画像データを記憶部に順次記憶する画像データ記憶手段とを備えており、更に、画像データの範囲を特定するための特定範囲情報を記憶する特定範囲情報記憶手段と、その特定範囲情報記憶手段に記憶される特定範囲情報に基づき、前記画像データ記憶手段により前記記憶部に記憶された画像データに対し範囲を特定すると共に、その特定範囲が所定のタイミングで所定量ずつ更新されるように前記特定範囲情報を更新する特定範囲管理手段と、前記記憶部に記憶されている画像データに基づく画像を前記表示器に表示させると共に、その表示画像に対し、前記特定範囲情報記憶手段における特定範囲情報に基づき、所定量ずつ更新される特定範囲を、前記表示器において視覚的に認識可能に表示する表示制御手段と、その表示制御手段による前記特定範囲の表示が所定量ずつ更新される更新間隔を、前記所定量の画像データを前記画像データ記憶手段が前記記憶部に記憶する間隔よりも長くなるように制御するタイミング制御手段と、前記操作部を介して入力される所定の指定を検出する指令検出手段と、その指令検出手段により所定の指定が検出されたことを条件として、前記特定範囲管理手段にて更新された最後の特定範囲情報が示す特定範囲を、前記出力手段にて出力される画像データの出力範囲として規定する範囲規定手段とを備えている。
【０００９】
請求項２記載の読取装置は、請求項１記載の読取装置において、前記タイミング制御手段は、更新間隔の時間をカウントするカウント手段を備えており、そのカウント手段によるカウント値が所定値に達したことを条件として、前記表示制御手段に特定範囲の表示を更新させるものである。
【００１０】
請求項３記載の読取装置は、請求項２記載の読取装置において、前記操作部を介して入力される入力値に基づいて、前記カウント手段によってカウントされる所定値を設定する所定値設定手段を備えている。
【００１１】
請求項４記載の読取装置は、請求項１から３のいずれかに記載の読取装置において、前記表示制御手段は、前記特定範囲情報記憶手段に記憶される特定範囲情報により特定される範囲の画像データを前記表示器に表示するものである。
【００１２】
請求項５記載の読取装置は、請求項４記載の読取装置において、前記特定範囲管理手段は、画像データの特定範囲が、所定量ずつ増加するように前記特定範囲情報を更新するものである。
【００１３】
請求項６記載の読取装置は、請求項５記載の読取装置において、前記表示制御手段は、表示されている画像データの中で表示順の古いものから削除して、その削除した表示領域に残る画像データを移動表示させると共に、新たな所定量の画像データをその空き領域に表示させるように制御する。
【００１４】
請求項７記載の読取装置は、請求項１から６のいずれかに記載の読取装置において、前記指令検出手段により所定の指定が検出されることを条件として、前記特定範囲管理手段は、特定範囲情報の更新処理を停止する。
【００１５】
請求項８記載の読取装置は、請求項１から７のいずれかに記載の読取装置において、前記特定範囲管理手段は、原稿の読み取り開始端を前記特定範囲の開始端として特定するものであり、前記範囲規定手段は、前記指令検出手段により所定の指定が検出されると、前記特定範囲管理手段が最後に更新した特定範囲情報により新たに特定された端部を出力範囲の終端とし、原稿の読み取り開始端から前記終端までを前記出力手段にて出力される画像データの出力範囲として規定する。
【００１６】
請求項９記載の読取装置は、請求項１から３のいずれかに記載の読取装置において、前記表示制御手段は、前記画像データに基づいて前記表示器に表示される画像に対し、その特定範囲を識別するためのマーカを、前記特定範囲管理手段にて更新される特定範囲情報に応じた位置に表示するマーカ表示手段を備えている。
【００１７】
請求項１０記載の読取装置は、請求項９記載の読取装置において、前記特定範囲管理手段は、画像データの特定範囲が、所定量ずつ増加するように前記特定範囲情報を更新するものである。
【００１８】
請求項１１記載の読取装置は、請求項９又は１０に記載の読取装置において、前記特定範囲管理手段は、前記指令検出手段により所定の指定が検出されることを条件として特定範囲情報の更新処理を停止するものであり、前記マーカ表示手段によるマーカの表示は、前記特定範囲管理手段が特定範囲情報の更新処理を停止をさせると静止される。
【００１９】
請求項１２記載の読取装置は、請求項９から１１のいずれかに記載の読取装置において、前記マーカ表示手段は、前記表示器に表示された画像の一端から他端へ向かって前記マーカを移動表示させるものであり、前記特定範囲管理手段は、前記表示器に表示された画像データに基づく画像の前記マーカの移動開始側の端部を、特定範囲の開始端とするものであり、前記範囲規定手段は、前記指令検出手段により所定の指定が検出されると、前記特定範囲管理手段が最後に更新した特定範囲情報により新たに特定された端部を出力範囲の終端とし、原稿の読み取り開始端から前記終端までを前記出力手段にて出力される画像データの出力範囲として規定する。
【００２０】
請求項１３記載の読取装置は、請求項９から１１のいずれかに記載の読取装置において、前記指令検出手段は、複数回の所定の指定を検出するものであり、前記範囲規定手段は、１の所定の指定が前記指令検出手段にて検出された場合に、前記特定範囲情報記憶手段に記憶される特定範囲情報によって特定した画像データの端部を規定範囲の一端とし、その１の所定の指定の次に前記指令検出手段が所定の指定を検出した場合に、前記特定範囲情報記憶手段に記憶される特定範囲情報によって特定した画像データの別の端部を画像データの規定範囲の他端とし、前記一端と他端とで挟まれた画像データを出力範囲として規定するものである。
【００２１】
請求項１４記載の読取装置は、請求項１から１３のいずれかに記載の読取装置において、前記出力先装置を指定する装置指定手段を備えており、前記出力手段は、前記指令検出手段により所定の指令が検出されたタイミングで前記範囲規定手段によって規定された出力範囲の画像データを、前記装置指定手段にて指定された出力先装置に出力するものである。
【００２２】
請求項１５記載の読取装置は、請求項１から１４のいずれかに記載の読取装置において、前記操作部を介して入力され前記範囲規定手段にて規定された画像データの出力範囲を変更する変更情報を検出する変更情報検出手段と、その変更情報検出手段により変更情報の入力が検出された場合、前記記憶部に記憶されている画像データの内、変更情報にて特定される範囲の画像データを前記範囲規定手段により規定された出力範囲の画像データに対し付加または削除して、画像データの出力範囲を変更する変更手段を備えており、前記出力手段は、前記変更手段による変更が実行された場合には、変更後の出力範囲に対応する画像データを出力するものである。
【００２３】
請求項１６記載の読取装置は、原稿の画像を画像データとして順次読み取る読取手段と、その読取手段により読み取った画像データを表示する表示器と、操作者により操作される複数の操作子を備えた操作部と、各種データを入力可能に構成された出力先装置に前記読取手段にて読み取った画像データを出力する出力手段と、前記読取手段により画像データが読み取られる毎に、その画像データを記憶部に順次記憶する画像データ記憶手段とを備えており、更に、前記読取手段が前記原稿の画像を読み取る読取速度よりも遅い速度で、前記画像データ記憶手段によって記憶部に記憶された画像データを、所定順に従って順次、前記表示器に表示する表示制御手段と、前記操作部を介して入力される所定の指定を検出する指令検出手段と、その指令検出手段により、所定の指定が検出されると、前記表示制御手段により前記表示器に表示された画像データの内容に基づき、前記出力手段にて出力される前記原稿の画像データの出力範囲を規定する範囲規定手段とを備えている。
【００２４】
請求項１７記載の読取装置の制御プログラムは、原稿の画像を画像データとして順次読み取る読取手段と、その読取手段により読み取った画像データを表示する表示器と、操作者により操作される複数の操作子を備えた操作部とを備えた読取装置において実行され、各種データを入力可能に構成された出力先装置に前記読取手段にて読み取った画像データを出力する出力ステップと、前記読取手段にて読み取った原稿の画像データを記憶部に記憶する画像データ記憶ステップと、画像データの範囲を特定するための特定範囲情報に基づき、前記画像データ記憶ステップにより前記記憶部に記憶された画像データに対し範囲を特定すると共に、その特定範囲が所定のタイミングで所定量ずつ更新されるように前記特定範囲情報を更新する特定範囲管理ステップと、前記記憶部に記憶されている画像データに基づく画像を前記表示器に表示させると共に、その表示画像に対し、前記特定範囲情報に基づき、所定量ずつ更新される特定範囲を、前記表示器において視覚的に認識可能に表示する表示制御ステップと、その表示制御ステップによる前記特定範囲の表示が所定量ずつ更新される更新間隔を、前記所定量の画像データを前記画像データ記憶ステップが前記記憶部に記憶する間隔よりも長くなるように制御するタイミング制御ステップと、前記操作部を介して入力される所定の指定を検出する指令検出ステップと、その指令検出ステップにより所定の指定が検出されたことを条件として、前記特定範囲管理ステップにて更新された最後の特定範囲情報が示す特定範囲を、前記出力ステップにて出力される画像データの出力範囲として規定する範囲規定ステップとを備えている。
【発明の効果】
【００２５】
請求項１記載の読取装置によれば、読取手段により読み取られた画像データは、画像データ記憶手段によって記憶部に順次記憶される。表示制御手段により、その記憶部に記憶された画像データに基づいた画像が表示器に表示され、更に、その表示画像に対し、所定量ずつ更新される特定範囲が、視覚的に認識可能に表示される。
【００２６】
また、表示器に表示された特定範囲の表示が所定量ずつ更新される更新間隔は、所定量の画像データを画像データ記憶手段が記憶部に記憶する間隔よりも長くなるように、タイミング制御手段によって制御される。
【００２７】
この表示される特定範囲は、特定範囲情報記憶手段に記憶される特定範囲情報に基づいたものである。特定範囲情報は、画像データの範囲を特定するためのものであり、特定範囲情報記憶手段に記憶されている。そして、この特定範囲情報に基づき、記憶部に記憶された画像データに対し範囲が特定され、その特定範囲が所定のタイミングで所定量ずつ更新されるように、特定範囲管理手段にて特定範囲情報は更新される。
【００２８】
ここで、指令検出手段により所定の指定が検出されると、特定範囲管理手段にて更新された最後の特定範囲情報が示す特定範囲が、出力手段にて出力される画像データの出力範囲として、範囲規定手段によって規定される。表示器における特定範囲の表示は刻々と変化するため、その表示される特定範囲の表示が所望の表示となったタイミングで操作者が操作子を操作して所定の指定を入力すれば、操作者所望の範囲を画像データの出力範囲として規定することができる。
【００２９】
よって、原稿の画像データの内、操作者が必要とする範囲を選択して出力することができ、不必要な画像データの無駄な出力を省略することができるという効果がある。言い換えれば、操作者が出力を所望する画像データが原稿の一部であるにも関わらず、原稿の全画像データが出力されるといった不具合が生じることがない。このため、出力先装置への画像データの出力に要する時間を短縮でき、効率的な画像データの出力を実行することができるという効果がある。
【００３０】
また、読み取った原稿の画像に対して、特定範囲の表示を所定量ずつ変更させる、即ち、特定範囲の表示を動的に変更することにより、操作者は操作子を操作するタイミングを判断する（所定の指定を入力する）だけで、簡便に、出力範囲を規定することができるという効果がある。つまり、操作者は、表示器において画像に対して表示される特定範囲を所望の範囲とするために、その特定範囲を変更するための操作をわざわざ行う必要がない。故に、操作者に要求される操作子の操作を単純化して、作業性を向上させることができるという効果がある。
【００３１】
尚、本装置は、所定の指定が検出（入力）されることに伴って、その時点で表示器に表示されている特定範囲に対応する画像データを出力範囲とするもの（出力範囲の終端の指定）であっても良く、所定の指定の検出（入力）により表示されている特定範囲に対応する画像データ以外の画像データを出力範囲とするもの（出力範囲の始端の指定）であっても良い。また、操作子の操作回数は１回に限られるものでなく、複数回としても良く、例えば、２の入力操作を１対として、先の指定検出タイミングから後の指定検出タイミングの間に表示された特定範囲に対応する画像データを出力範囲とするものであっても良い。また、特定範囲情報の更新は、特定範囲が所定量ずつ増加するように行っても、特定範囲が所定量ずつ減少するように行っても良い。
【００３２】
請求項２記載の読取装置によれば、請求項１記載の読取装置の奏する効果に加え、カウント手段によるカウント値が所定値に達したことを条件として、タイミング制御手段により、表示制御手段による特定範囲の表示が更新される。よって、特定範囲の表示の更新を的確な間隔で行うことができ、また、所定量の画像データが画像データ記憶手段にて記憶部に記憶される間隔よりもその更新間隔を長くする制御を、簡便な構成で実現することができるという効果がある。
【００３３】
請求項３記載の読取装置によれば、請求項２記載の読取装置の奏する効果に加え、所定値設定手段により、操作部を介して入力される入力値に基づいて、カウント手段によってカウントされる所定値を設定することができる。表示器における特定範囲の表示の更新は、カウント手段によるカウント値が所定値に達することによって実行されるので、カウント値を変更することによってその更新速度を適宜変更することができる。よって、一義的にかかる特定範囲の更新間隔（更新速度）が設定されている場合に比べて、各操作者の作業レベルや原稿の識別難度に応じた適切な速度で、特定範囲の表示更新を行うことができるという効果がある。
【００３４】
つまり、操作者は、表示される特定範囲が所望範囲となったことにより所定の指定を入力すれば、その所望範囲を出力範囲に規定できる。このため、刻々と変化する特定範囲の内容に対し、現在の特定範囲がいずれの範囲であるかを、操作者に的確に判別させることが重要となる。
【００３５】
一般に、表示器での表示の更新速度が遅くなるほど、操作者にとっては、更新前後における表示の差異が識別容易となるが、処理全体の速度を低下させ、逆に表示の更新速度が速くなるほど、処理全体の速度を高速化することはできるが、表示の識別を高度にしてしまう。その上、同じ原稿であっても、操作者の作業レベルによって識別の難易度は異なっている。故に、表示器に表示する特定範囲の表示速度（更新間隔）を変更し得る構成とすることにより、操作者毎に最適な表示速度（更新間隔）で特定範囲の表示を更新させることができ、操作者が識別不能なほど高速で特定範囲の表示が更新されてしまったり、逆に、操作者が認識可能な速度よりも必要以上に遅い速度で特定範囲の表示更新が行われるという事態の発生を抑制できる。その結果、識別能力が様々である操作者に幅広く対応した使い勝手の良い装置を提供することができるという効果がある。
【００３６】
請求項４記載の読取装置によれば、請求項１から３のいずれかに記載の読取装置の奏する効果に加え、表示制御手段により、特定範囲情報記憶手段に記憶される特定範囲情報により特定される範囲の画像データが、表示器に表示されるので、表示器の表示画面上に現出される画像は、特定範囲の画像データに一致したものとなり、読み取った画像データそのもので特定範囲を表現することができるので、操作者が、どこまでの画像データを出力範囲とするかの判断を行いやすい。
【００３７】
更には、表示器に表示される画像は、特定範囲の画像データにそのまま対応するので、所定量ずつ変更される特定範囲に対応した画像データが順次表示器に出力されることにより、更新された特定範囲が反映された画像が表示器に順次表示される。
【００３８】
その結果、例えば、画像データの出力範囲を規定するためのカーソル等を表示器の画像に対して表示する機構や、操作子の操作に応じてそのカーソル表示を移動する機構などを不要とすることができる。故に、装置構成を簡素化して、効率的且つ簡便に出力範囲を規定できるという効果がある。
【００３９】
請求項５記載の読取装置によれば、請求項４記載の読取装置の奏する効果に加え、特定範囲管理手段により、画像データの特定範囲が、所定量ずつ増加するように特定範囲情報を更新することができる。このため、操作者が、特定範囲の表示がちょうど所望の範囲となったタイミングで所定の指定を入力するタイミングを逃しても、情報は付加される方向にあるため、出力範囲として規定するべき内容の取りこぼしが発生することがないという効果がある。言い換えれば、操作者は、表示される特定範囲の表示が、所望の出力範囲となってから余裕をもって所定の指定を入力すればよく、厳格なタイミングで所定の指定を行う必要がない。故に、本装置において出力範囲規定する操作を容易なものとすることができ、本装置の取扱性を向上させることができる。
【００４０】
更に、出力範囲として規定し得る画像データの画像は、所定量ずつ付加される態様で表示器に表示される。このため、画像データの特定範囲が、所定量ずつ減少するように特定範囲情報を更新する場合に比べて、特定範囲が所望の出力範囲に到達したかの確認作業を、操作者は、容易に行うことができるという効果がある。操作者所望の内容が特定範囲に属しているか否かを確認する場合に、画像が所定量ずつ消去される態様で現出されると、操作者は、消去部分に所望の内容があったかを、表示器上に表示されている内容から再確認することはできないが、画像が所定量ずつ付加される態様で現出される場合には、表示器上で表示されている内容のみから確認することができるからである。
【００４１】
請求項６記載の読取装置によれば、請求項５記載の読取装置の奏する効果に加え、表示制御手段により、表示されている画像データの中で表示順の古いものから削除され、その削除した表示領域に残る画像データが移動表示されると共に、新たな所定量の画像データがその空き領域に表示されるので、表示器上における表示画像をスクロール表示することができる。よって、表示器において、画像データを操作者に視認容易な態様で現出させることができるという効果がある。読取装置に設けられる表示器は、機械的構成による制限によって、読み取られる原稿よりも小さく設計されることが多い。これによれば、表示器に表示される画像データが、実際の原稿に比べて小さく表示されてしまい、原稿内容の視認性を大きく低下させる。しかし、画像データをスクロール表示させることができるので、原稿全体を１画面に表示する必要がなく、原稿の各部分を順次表示することができる。即ち、表示器の表示画面に一度に表示される画像データは、原稿の一部とすることができる。原稿全体を１画面に表示するよりも、原稿の一部を１画面に表示するほうが、画像データの個々を拡大された態様で表示することができるので、その結果、表示器に表示される画像データに対する視認性を向上させることができる。
【００４２】
請求項７記載の読取装置によれば、請求項１から６のいずれかに記載の読取装置の奏する効果に加え、指令検出手段により所定の指定が検出されることを条件として、特定範囲管理手段により特定範囲情報の更新処理が停止されるので、操作者が指定した出力範囲と装置内部で規定する出力範囲とを整合させることができ、操作者所望の出力範囲を正確に出力先装置に出力することができるという効果がある。つまり、内部的に画像データに対して出力範囲を規定する処理は、特定範囲管理手段により更新される特定範囲情報に基づいて行われる。一方で、操作者は、表示器に表示される特定範囲の表示を視認することにより所定の指定を入力する。このため、所定の指定が入力されたにもかかわらず、特定範囲情報の更新が継続して行われると、操作者が指定した所望の出力範囲と、内部的に規定される出力範囲とがちぐはぐになってしまうという不具合が生じることとなる。しかし、指令検出手段により所定の指定が検出されることを条件として、特定範囲管理手段により特定範囲情報の更新処理が停止されるので、操作者が指定した所望の出力範囲と、内部的に規定される出力範囲との不整合を回避することができる。
【００４３】
請求項８記載の読取装置によれば、請求項１から７のいずれかに記載の読取装置の奏する効果に加え、特定範囲管理手段により、原稿の読み取り開始端が特定範囲の開始端として特定される。そして、指令検出手段により所定の指定が検出されると、範囲規定手段により、特定範囲管理手段が最後に更新した特定範囲情報により新たに特定された端部が出力範囲の終端とされると共に、特定範囲管理手段が特定範囲の開始端とした原稿の読み取り開始端からその終端までが、出力手段にて出力される画像データの出力範囲として規定される。
【００４４】
よって、操作者は、出力範囲の発端を指定する必要が無く、特定範囲の表示を視認しつつ、その特定範囲が所望の範囲となったタイミングで操作子を操作するだけで（所定の指定が入力されるので）、出力範囲を確定することができる。故に、出力範囲を規定するために操作者に要求される操作を、単純且つ簡便なものとすることができるという効果がある。
【００４５】
請求項９記載の読取装置によれば、請求項１から３のいずれかに記載の読取装置の奏する効果に加え、表示制御手段により画像データに基づいて表示器に表示される画像に対し、マーカ表示手段にて、その特定範囲を識別するためのマーカが、特定範囲管理手段にて更新される特定範囲情報に応じた位置に表示される。これによれば、表示器における画像に対し特定範囲の位置をマーカによって示すことができる。表示器の画面上のマーカは、所定量ずつ更新される特定範囲情報に応じて表示されるので、そのマーカ位置は操作者の操作に依らず表示画面上を移動する。よって、操作者は操作子を操作するタイミングを判断する（所定の指定を入力する）だけで、簡便に、出力範囲を規定することができる。これによれば、操作者がわざわざ操作子を操作してマーカを移動させる必要がないので、操作者に要求される操作子の操作を単純化して、作業性を向上させることができるという効果がある。
【００４６】
更に、マーカの表示は、所定量ずつ更新される特定範囲を、視覚的に認識可能に表示するものである。表示器に表示された特定範囲の表示が所定量ずつ更新される更新間隔は、所定量の画像データを画像データ記憶手段が記憶部に記憶する間隔よりも長くなるように、タイミング制御手段によって制御されるので、マーカの表示は、読取速度とは別の速度で、即ち、読取手段が原稿の画像を読み取る読取速度よりも遅い速度で移動されることとなる。故に、刻々と変化するマーカの現在位置を、操作者は、視覚的に容易に追従することができ、その結果、表示器に表示されたマーカの位置に基づいて、操作者は、的確なタイミングで、所定の指定を入力して、所望の出力範囲を的確に確定させることができるという効果がある。
【００４７】
請求項１０記載の読取装置によれば、請求項９記載の読取装置奏する効果に加え、特定範囲管理手段により、画像データの特定範囲が、所定量ずつ増加するように特定範囲情報が更新されるので、操作者が、特定範囲の表示がちょうど所望の範囲となったタイミングで所定の指定を入力するタイミングを逃しても、情報は付加される方向にあるため、出力範囲として規定するべき内容の取りこぼしが発生することがないという効果がある。言い換えれば、操作者は、表示される特定範囲の表示が、所望の出力範囲となってから余裕をもって所定の指定を入力すればよく、厳格なタイミングで所定の指定を行う必要がない。故に、本装置において出力範囲規定する操作を容易なものとすることができ、本装置の取扱性を向上させることができる。
【００４８】
請求項１１記載の読取装置によれば、請求項９又は１０に記載の読取装置の奏する効果に加え、指令検出手段により所定の指定が検出されることを条件として、特定範囲管理手段により特定範囲情報の更新処理が停止され、これにより、マーカ表示手段によるマーカの表示が、表示器上において静止される。よって、表示器のマーカ表示から特定範囲を判断することで操作者が決定した出力範囲と、内部的に規定される出力範囲との不整合を回避することができるという効果がある。
【００４９】
つまり、操作者は、特定範囲が所望の範囲となると、その特定範囲を出力範囲とするべく所定の指定を入力する。内部的に画像データに対して出力範囲を規定する処理は、特定範囲管理手段により更新される特定範囲情報に基づいて行われるので、指令検出手段により所定の指定が検出されることを条件として、特定範囲情報の更新処理を停止することで、操作者が指定した所望の出力範囲と、内部的に規定される出力範囲とがちぐはぐになってしまうという不具合を回避することができる。
【００５０】
請求項１２記載の読取装置によれば、請求項９から１１のいずれかに記載の読取装置の奏する効果に加え、マーカ表示手段により、表示器に表示された画像の一端から他端へ向かってマーカは移動表示される。また、特定範囲管理手段により、表示器に表示された画像データに基づく画像のマーカの移動開始側の端部が、特定範囲の開始端とされる。そして、指令検出手段により所定の指定が検出されると、範囲規定手段によって、特定範囲管理手段が最後に更新した特定範囲情報により新たに特定された端部が出力範囲の終端とされると共に、特定範囲管理手段が特定範囲の開始端とした原稿の読み取り開始端からその終端までが、出力手段にて出力される画像データの出力範囲として規定される。
【００５１】
よって、操作者は、出力範囲の発端を指定する必要が無く、特定範囲の表示、即ちマーカの位置を視認しつつ、そのマーカの表示位置が所望の範囲を示す位置となったタイミングで操作子を操作するだけで（所定の指定が入力されるので）、出力範囲を確定することができる。故に、出力範囲を規定するために操作者に要求される操作を、単純且つ簡便なものとすることができるという効果がある。
【００５２】
請求項１３記載の読取装置によれば、請求項９から１１のいずれかに記載の読取装置の奏する効果に加え、指令検出手段により、複数回の所定の指定が検出され、範囲規定手段により、１の所定の指定が指令検出手段にて検出された場合に特定範囲情報記憶手段に記憶される特定範囲情報によって特定した画像データの端部が、規定範囲の一端とされる。また、その１の所定の指定の次に指令検出手段が所定の指定を検出した場合に特定範囲情報記憶手段に記憶される特定範囲情報によって特定した画像データの別の端部が、画像データの規定範囲の他端とされる。そして、その一端と他端とで挟まれた画像データが出力範囲として規定される。
【００５３】
よって、出力範囲の一端が、所定の位置（例えば、原稿の先端または終端）に、固定されてしまうことが無く、原稿の出力範囲の設定に対する自由度を向上させることができるという効果がある。即ち、１の所定の指定だけで出力範囲を規定する場合には、出力範囲の一端しか指定できないため、他端を予め定めた箇所（例えば、原稿の先端または終端）に固定する必要がある。かかる場合、操作者の所望する出力範囲が、原稿の端部から離れた箇所にあると、原稿端から操作者所望の出力箇所に到達するまでの間の画像データについても出力範囲に包含させざるを得ない（不要な出力範囲の包含）。しかし、本装置によれば、出力範囲を複数の所定の指定で規定することができるので、不要な出力範囲を削減し、操作者所望の出力範囲により適応した態様で出力範囲を規定することができる。また、例えば、複数の所定の指定の内、連続する２の指定を対で認識することにより、マーカの移動方向に対して複数箇所の出力範囲を指定することができる。つまり、操作者が出力を所望する箇所が原稿中に散在していても、操作者は、各箇所に絞り込んで出力範囲を指定することができるので、原稿の各部から操作者が所望する出力範囲が抽出された無駄のない出力データを形成することができるという効果がある。
【００５４】
請求項１４記載の読取装置によれば、請求項１から１３のいずれかに記載の読取装置の奏する効果に加え、指令検出手段により所定の指令が検出されたタイミングで、範囲規定手段によって規定された出力範囲の画像データが、出力手段により、装置指定手段にて指定された出力先装置に出力される。よって、操作者は、範囲規定を実行する操作を行うだけで、つまり、出力範囲を規定する操作と別に画像データを出力させるための操作をわざわざ行うことなく、指定の出力先装置に画像データを出力することができるという効果がある。一般に、読み取った画像データは、何らかの形で出力することにより、意味のあるものになることが多い。従って、操作者の多くは、読み取った画像データの出力を所望する。故に、出力範囲を規定する操作が行われたこと（所定の指定の入力操作の実行）を契機として出力先装置へ画像データを出力する処理を行っても、操作者に不利益が生じることはない。
【００５５】
請求項１５記載の読取装置によれば、請求項１から１４のいずれかに記載の読取装置の奏する効果に加え、変更情報検出手段により変更情報の入力が検出された場合、変更手段によって、記憶部に記憶されている画像データの内、変更情報にて特定される範囲の画像データが、範囲規定手段により規定された出力範囲の画像データに対し付加または削除され、画像データの出力範囲が変更される。そして、変更手段による変更が実行された場合には、出力手段により、変更後の出力範囲に対応する画像データが出力される。
【００５６】
よって、範囲規定手段にて出力範囲が規定された後であっても、変更情報を入力することによって先に規定した出力範囲を変更することができるという効果がある。このため、範囲規定手段による出力範囲の規定後に、規定した出力範囲を見直した操作者が、その出力範囲の変更を所望した場合に、その要求に対応することができる。
【００５７】
特に、本装置は、表示器において刻々と変化する特定範囲の表示が、所望の範囲の表示となったタイミングで、操作者が所定の指定を入力することにより、画像データの出力範囲を規定するものであるため、操作者が所定の指定を入力する操作タイミングを誤ると、所望の出力範囲を規定できないという事態が生じる。しかし、変更情報を入力することによって、範囲規定手段にて規定された出力範囲を操作者の要求に応じて変更することができるので、範囲規定手段にて規定された出力範囲が操作者を満足させるものでなかった場合には、その補正を行って、最終的に操作者が所望する範囲を出力範囲とすることができるという効果がある。
【００５８】
また、変更手段による変更が実行された場合には、変更後の出力範囲に対応する画像データが出力手段によって出力されるので、操作者が所望する出力範囲の画像データを、確実に出力先装置に出力することができるという効果がある。
【００５９】
請求項１６記載の読取装置によれば、読取手段にて順次読み取った原稿の画像データは、画像データ記憶手段により記憶部に記憶される。そして、記憶部に記憶された画像データは、表示制御手段により、読取手段が原稿の画像を読み取る読取速度よりも遅い速度で、所定順に従って順次、表示器に表示される。ここで、操作部を介して入力される所定の指定が指令検出手段によって検出されると、表示制御手段により表示器に表示中の画像データの内容に基づき、出力手段にて出力される原稿の画像データの出力範囲が、範囲規定手段により規定される。表示器における画像データの表示は刻々と変化するため、表示される画像データが所望の表示となったタイミングで操作者が操作子を操作して所定の指定を入力すれば、操作者所望の画像データを出力範囲として規定することができる。
【００６０】
よって、原稿の画像データの内、操作者が必要とする範囲を選択して出力することができ、不必要な画像データの無駄な出力を省略することができるという効果がある。言い換えれば、操作者が出力を所望する画像データが原稿の一部であるにも関わらず、原稿の全画像データが出力されるといった不具合が生じることがない。このため、出力先装置への画像データの出力に要する時間を短縮でき、効率的な画像データの出力を実行することができるという効果がある。
【００６１】
また、読み取った原稿の画像データを動的に表示（順次表示）することにより、操作者は操作子を操作するタイミングを判断する（所定の指定を入力する）だけで、簡便に、出力範囲を規定することができる。つまり、読み取った原稿の画像データを静的に表示して画像データの出力範囲を規定しようとすれば、表示器の表示画面上へのカーソル表示を出力する機構と、操作子の操作に応じてカーソル表示を移動する機構とが必要となるが、本装置では、所定の指定を入力することで出力範囲を規定できるので、かかる機構を不要とすることができる。故に、静的に表示される画像データに対して出力範囲を規定する場合に比べて、装置構成を簡素化して、効率的且つ簡便に出力範囲を規定できる。その上、操作者には、カーソル移動操作やカーソル位置を確定する確定操作などが要求されないので、操作者に要求される操作子の操作を単純化して、作業性を向上させることができるという効果がある。
【００６２】
尚、本装置は、所定の指定が検出（入力）されると表示されている画像データを出力範囲とするもの（出力範囲の終端の指定）であっても良く、所定の指定の検出（入力）により表示されている画像データ以外を出力範囲とするもの（出力範囲の始端の指定）であっても良い。また、操作子の操作回数は１回に限られるものでなく、複数回としても良く、例えば、２の入力操作を１対として、先の第１指令検出タイミングから後の第１指令検出タイミングの間に表示された画像データを出力範囲とするものであっても良い。
【００６３】
請求項１７記載の読取装置の制御プログラムによれば、読取手段により読み取られた画像データは、画像データ記憶ステップによって記憶部に順次記憶される。表示制御ステップにより、その記憶部に記憶された画像データに基づいた画像が表示器には表示され、更に、その表示画像に対し、所定量ずつ更新される特定範囲が、視覚的に認識可能に表示される。また、表示器に表示された特定範囲の表示が所定量ずつ更新される更新間隔は、所定量の画像データを画像データ記憶手段が記憶部に記憶する間隔よりも長くなるように、タイミング制御ステップによって制御される。この表示される特定範囲は、特定範囲管理ステップによって、画像データの範囲を特定するための特定範囲情報に基づき、記憶部に記憶された画像データに対して特定された範囲である。この特定範囲が所定のタイミングで所定量ずつ更新されるように、特定範囲管理ステップにより特定範囲情報は更新される。ここで、指令検出ステップにより所定の指定が検出されると、特定範囲管理ステップにて更新された最後の特定範囲情報が示す特定範囲が、出力ステップにて出力される画像データの出力範囲として、範囲規定ステップによって規定される。
【００６４】
よって、各ステップを実行することにより、操作者所望の画像データを出力範囲として規定することができる。このため、原稿の画像データの内、操作者が必要とする範囲を選択して出力することができ、不必要な画像データの無駄な出力を省略することができるという効果がある。言い換えれば、操作者が出力を所望する画像データが原稿の一部であるにも関わらず、原稿の全画像データが出力されるといった不具合が生じることがない。このため、出力先装置への画像データの出力に要する時間を短縮でき、効率的な画像データの出力を実行することができるという効果がある。
【００６５】
尚、本プログラムは、所定の指定が検出（入力）されると表示されている特定範囲の画像データを出力範囲とするもの（出力範囲の終端の指定）であっても良く、所定の指定が検出（入力）されると表示されている特定範囲の画像データ以外を出力範囲とするもの（出力範囲の始端の指定）であっても良い。また、操作子の操作回数は１回に限られるものでなく、複数回としても良く、例えば、２の入力操作を１対として、先の指定検出タイミングから後の指定検出タイミングの間に表示された特定範囲に対応する画像データを出力範囲とするものであっても良い。また、特定範囲情報の更新は、特定範囲が所定量ずつ増加するように行っても、特定範囲が所定量ずつ減少するように行っても良い。
【発明を実施するための最良の形態】
【００６６】
以下、適宜図面を参照して本発明の実施形態について説明する。なお、以下の実施形態は本発明を具体化した一例にすぎず、本発明の要旨を変更しない範囲で、実施形態を適宜変更できることは言うまでもない。
【００６７】
図１は本発明の実施形態に係る読取装置の一例である複合機１の外観構成を示す斜視図である。図１に示すように、本複合機１は、下部に設けられたプリンタ２と、上部に設けられたスキャナ３と、スキャナ３の正面側に設けられた操作パネル４とを一体的に備えたＭＦＰ（Multi  Function  Peripheral、もしくはMulti  Function  Printer）であり、プリンタ機能、スキャナ機能、コピー機能及びファクシミリ機能を有する。
【００６８】
複合機１は、主に不図示のコンピュータと接続されて、該コンピュータから送信された画像データや文書データに基づいて、記録用紙(被記録媒体)に画像や文書を記録するものである。さらに、複合機１は、デジタルカメラ等の外部機器と接続されてデジタルカメラから出力される画像データを記録用紙に記録したり、メモリカード等の各種記憶媒体を装填して、該記憶媒体に記憶された画像データ等を記録用紙に記録することが可能である。なお、言うまでもないが、本複合機１は、記録用紙だけに限らず、ＯＨＰ用の透明フィルムシートや布などにも画像を記録することが可能である。
【００６９】
更には、本複合機１は、原稿の読み取りを実行し、読み取った原稿の画像データを指定の出力先装置へと出力するように構成されている。また、複合機１では、読み取った画像データは、順次、液晶表示部（ＬＣＤ：Liquid  Crystal  Display）４１に表示されるが、その表示速度が読取速度よりも遅い速度となるように、即ち、表示速度と読取速度とが非同期となるように構成されている。
【００７０】
また、本複合機１は、かかる原稿の読み取りにおいて、一時停止キー４０Ｂ１（図２参照）が押下されると、ＬＣＤ４１に順次表示される画像データの表示を現在表示のまま一時停止し、その表示中の画像データを出力範囲として規定することができるようになっている。そして、更に、出力範囲として規定された画像データを動作中のモード（プリンタ機能、スキャナ機能、ファクシミリ機能）に応じた出力先の装置へと出力するように構成されている。言い換えれば、複合機１は、原稿の部分的な読み取りと出力とを実行することができるようになっている。
【００７１】
スキャナ３は、原稿の画像を読み取るための装置であり、ＦＢＳ（Flatbed  Scanner）として機能する原稿読取台６に対して、自動原稿搬送機構（ＡＤＦ：Auto  Document  Feeder、以下「ＡＤＦ」という。）７を備えた原稿カバー８が、背面側の蝶番を介して開閉自在に取り付けられてなる。原稿カバー８の下方には、平面視で横方向に長く且つ所定高さの直方体に形成されると共に、原稿カバー８によって開閉可能に被覆される原稿読取台６が配設されている。尚、原稿カバー８は、平面視で原稿読取台６と略同じ形状に形成されており、スキャナ３は、原稿読取部６と原稿カバー８とが一体で、略直方体の形状をなしている。
【００７２】
原稿読取台６の上面にはプラテンガラスが配設されており、かかるプラテンガラスは、縦幅より横幅が長い平面視で横長の長方形に形成されて、原稿読取台６の上面に組み込まれている。また、平面視での縦幅はレターサイズ用紙の短辺に合う長さにされ、横幅はＡ４サイズ用紙の長辺に合う長さにされている。そのため、レターサイズ用紙もＡ４サイズ用紙も、両方とも画像読取ができるようになっている。
【００７３】
原稿読取台６の内部には、図示しない画像読取ユニットが内蔵されており、該画像読取ユニットの移動スペースや、画像読取ユニット或いはそれを支持する部材および駆動させる機構などを配設するスペースが確保されている。このため、原稿読取台６はプラテンガラスよりも大きく形成されている。
【００７４】
このように構成されたスキャナ３をＦＢＳとして使用する場合は、原稿カバー８を開いてプラテンガラス上、即ち、原稿読取台６の上面に原稿を載置し、その後、原稿カバー８を閉じて当該原稿を固定する。そして、読取開始指令が入力されると、上記画像読取ユニットがプラテンガラスの裏面（上面とは反対側）に沿って走査される。これにより、ＦＢＳによる原稿の画像読取りが行われる。
【００７５】
上記画像読取ユニットは、複合機１の奥行き方向を主走査方向とするラインイメージセンサを備えたものであり、光源を発光させて原稿に光を照射し、原稿からの反射光をレンズにより光電変換素子に導き、光電変換素子が反射光強度に応じた電気信号を出力することによって画像を読み取る。ラインイメージセンサとしては、密着型のＣＩＳ（Contact  Image  Sensor）、或いは、縮小光学系のＣＣＤ（Charge  Coupled  Device）や、ＣＭＯＳ（Complementary  Metal-Oxide  Semiconductor：相補型金属酸化膜半導体）などを適用することができる。なお、画像読取ユニットやスキャナ３の内部構成の構成は本発明に直接関係がないので、ここでは詳細な説明は省略する。
【００７６】
ＡＤＦ７は、原稿トレイ９から原稿排出トレイ１０へ原稿搬送路を通じて原稿を搬送するものである。ＡＤＦ７による原稿の搬送過程において、原稿が原稿読取台６上のプラテンガラス上の所定位置（読取位置）を通過すると、該読取位置の下方に待機する上記画像読取ユニットによって該原稿の画像が読み取られる。つまり、ＡＤＦ７を用いて行われる原稿画像の読み取りは、ＦＢＳとは逆に、画像読取ユニットを定位置（読取位置）にセットしたまま原稿を移動させることによって行われる。このようなＡＤＦ７による画像読み取りは、原稿カバー８が原稿読取台６に対して閉じられた状態で行われる。なお、本発明においてＡＤＦ７は任意の構成である。したがって、ＡＤＦ７の詳細な説明については省略する。
【００７７】
原稿トレイ９は、複数枚の原稿を収納可能に構成されている。また、原稿トレイ９は、セットされた原稿を装置内部に導入するＡＤＦ７の動作時に、装置内部に原稿を案内するための１対のガイド９ａを備えている。１対のガイド９ａは、導入方向に対して直交する方向（複合機１の奥行き方向）にスライド可能に形成されており、導入する原稿の幅（短辺の長さ）に応じて両者の間隔は調整される。かかる１対のガイド９ａの間には、原稿トレイ９にセットされた原稿によって被覆される原稿検出センサ３０が設けられている。
【００７８】
原稿検出センサ３０は、原稿の有無を検出するセンサであって、付勢部材によって上方に向かって付勢され原稿トレイ９において上方に突出すると共に上下方向に可動可能に形成された可動片３０ａと、可動片３０ａの下方に設けられた電気的接点とを備えている。１枚以上の原稿が原稿トレイ９にセットされると、原稿の重みによって可動片３０ａは下方側へ押下されて電気的接点がオンとなる（原稿検出センサ３０オン）。一方、原稿が取り除かれると付勢部材の付勢力によって可動片３０ａは上方へ移動され電気的接点がオフとなる（原稿検出センサ３０オフ）。故に、原稿検出センサ３０のオンとオフとにより、原稿の有無が検出されることとなる。
【００７９】
また、原稿検出センサ３０は、現在読取中の原稿（装置内に導入された原稿）の次の原稿（次原稿）を検出するためのものであり、可動片３０は、フィードされて装置内に導入された原稿の後端には接触しない位置に設けられている。つまり、原稿トレイ９に原稿がセットされた初期状態においては、可動片３０ａは原稿によって押下されるので原稿検出センサ３０はオンとなる（次原稿有りの検出）。そして、原稿の読取開始指令が入力されると、ＡＤＦ７に設けられた非図示のピッキングローラ等の駆動系が動作され、原稿トレイ９に堆積された原稿の１枚が装置内の読取位置まで案内される。読取位置にセットされた原稿の後端は、可動片３０ａには接触しない位置まで移動されるので、次原稿が無ければ、可動片３０ａは上方へ移動し、原稿検出センサ３０はオフとなる（次原稿無しの検出）。
【００８０】
プリンタ２は、スキャナ３で読み取られた画像データ或いは外部から入力された画像データに基づいて、選択的にインク滴を吐出することによって、記録用紙上に画像を記録する所謂インクジェット方式の画像記録装置（インクジェット記録装置）である。このプリンタ２は、上述したように、スキャナ３の下方に配設されている。スキャナ３とプリンタ２は、それらの背面が同一面となるように位置決めされているため、複合機１の背面は凸凹のない平坦形状となっている。なお、言うまでもないが、上記インクジェット方式はプリンタ２による画像記録方式の単なる一例であり、電子写真方式や熱転写方式などの種々の画像記録方式を採用することができるのはもちろんである。
【００８１】
複合機１の正面側、換言すれば、プリンタ２の正面側には開口５が形成されている。この開口５内に給紙トレイ１４及び排紙トレイ１５が設けられている。給紙トレイ１４と排紙トレイ１５は上下二段となるように配設されており、上段に排紙トレイ１５が設けられ、その下方に給紙トレイ１４が設けられている。給紙トレイ１４は、長方形の記録用紙を平面視で縦向きに収容するものである。給紙トレイ１４は、レターサイズ用紙とＡ４サイズ用紙の両方が使用できるように、横幅はレターサイズ用紙の短辺に合わせてあり、縦幅はＡ４サイズ用紙の長辺に合わせてある。
【００８２】
上述したように原稿読取台６は、横長の直方体に形成されており、スキャナ３の正面側は、原稿読取台６の正面側の端面と原稿カバー８の正面側の端面とにより面一に形成された端面１８を備えている。プリンタ２の正面側の端面１７は、スキャナ３の正面側の端面１８から所定幅だけ正面側に突出しており、複合機１の外形は平面視で略正方形に形成されている。以下、このように正面側に突出したプリンタ２の正面側の端部を突出部１６と称する。
【００８３】
上述したように、原稿読取台６はレターサイズの原稿を横向きに載置可能なサイズに形成され、給紙トレイ１４は記録用紙を縦向きに載置可能なサイズに形成されているため、上記突出部１６の突出幅は、Ａ４サイズの長辺からレターサイズの短辺を差し引いた幅に概ね設定される。従って、突出部１６の上方には、プリンタ２の横幅がスキャナ３の横幅に合わせて形成されていることもあって、横長の直方体の空きスペースが生まれる。なお、後段で詳述するが、本複合機１の操作パネル４は当該空きスペースに配設される。
【００８４】
プリンタ２には、給紙トレイ１４の奥側から上方へ延びた後に正面側へＵ字状に湾曲して排紙トレイ１５に連結される用紙搬送路が設けられている。給紙トレイ１４に収容された記録紙は、その短辺を先頭にして用紙搬送路に送り出され、Ｕターン搬送されることによって用紙搬送路中に設けられた画像記録位置に案内される。そして、該画像記録位置で、上記インクジェット記録装置によって画像が記録用紙に記録される。画像記録後の記録用紙は排紙トレイ１５に排出される。
【００８５】
複合機１の正面側には、操作パネル４が設けられている。操作パネル４は、突出部１６の上方の空きスペースに適合するよう、図１および図２に示す如く横長形状に形成されている。換言すれば、操作パネル４は、その縦幅が、スキャナ３の縦幅からプリンタ２の縦幅を減じた長さ(空きスペースの縦幅)に収まる寸法に形成されている。操作パネル４は、プリンタ２やスキャナ３を操作するためのものであり、各種操作キー４０とＬＣＤ４１とを具備する。
【００８６】
使用者は、操作パネル４を用いて、所望の指令を入力することができる。複合機１に所定の指令が入力されると、その入力された情報に基づいて該複合機１の動作が制御部２０（図３参照）によって制御される。操作パネル４の具体的な構成については後段で詳述する。なお、複合機１は、操作パネル４から入力された指令のほか、コンピュータに接続されて該コンピュータからプリンタドライバやスキャナドライバ等を介して送信される指令に基づいて動作するようにシステム構成されている。
【００８７】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はカード型メモリを装填可能な複数のカードスロットが設けられている。カードスロットにカード型メモリが装填され、該装填されたカード側メモリから画像データが後述の制御部２０により読み出されると、その読み出された画像データや該画像データに関する情報が制御部２０によってＬＣＤ４１に表示される。或いは、選択された任意の画像がプリンタ２において記録用紙に記録される。
【００８８】
次に、複合機１の操作パネル４について詳細に説明する。
【００８９】
図２は、操作パネル４の構成を示す部分平面図である。図２に示すように、操作パネル４は、プリンタ２の突出部１６の上方であって、スキャナ３の正面側に設けられている。この操作パネル４は、各種操作キー４０とＬＣＤ４１とを具備する。同図に示すように、ＬＣＤ４１は、平面視が横長矩形であり、その縦幅（縦寸法）が操作パネル４の奥行き寸法より若干小さいものの、該操作パネル４の奥行き寸法と略同寸法に形成されている。したがって、ＬＣＤ４１の奥側及び手前側には、操作パネル４に操作キー４０を配置するためのスペースがない。換言すれば、ＬＣＤ４１は、操作パネル４に配置可能な最大の縦幅に大型化されている。このＬＣＤ４１は、複合機１を使用状態に設置した場合において、操作者が容易に視認可能な位置に設けられるものであり、本実施形態では、複合機１の上面に配設されている。尚、ＬＣＤ４１は、必ずしも複合機の上面に設けられる必要はなく、操作者が操作パネル４を操作する際に視認可能な位置であれば、例えば、複合機１の正面側であっても良い。また、必ずしも操作パネル４に一体で設けられる必要はなく、着脱可能に構成されても良い。
【００９０】
ＬＣＤ４１は、図２に示すように、操作パネル４の幅方向の中央に配置されている。ＬＣＤ４１の幅寸法は、操作パネル４の幅寸法に比べると十分に小さい。したがって、ＬＣＤ４１の側方には、操作パネル４に操作キー４０を配置するためのスペースが確保されている。ＬＣＤ４１を操作パネル４の中央に配置することにより、ＬＣＤ４１の左右両側に操作キー４０を配置することができる。これにより、操作キー４０の配置に対するＬＣＤ４１の位置のバランスがよくなる。複合機１は、スキャナ３にて読み取った原稿の画像データを、このＬＣＤ４１に出力し、操作者が読取状態を確認することができるように構成されている。
【００９１】
更に、ＬＣＤ４１は、複合機１の筐体の外表面側であって、操作キー４０に近接して配設されている。このため、操作者は、読取動作を行うための作業（例えば読取装置への原稿のセットを行う作業）と、読み取った画像データの編集（範囲規定）作業とを、同じ場所（複合機１の設置場所）に留まって行うことができる。故に、読み取った画像データを読取装置からパーソナルコンピュータなどに出力し、そのパーソナルコンピュータにおいて出力範囲を規定する一般的な読取装置に比べて、装置間を行き来する操作者の手間や労力を軽減でき、効率的かつ省力的に原稿の読み取りを実現できる。また、ＬＣＤ４１と操作キー４０とが近接して配設されることで、ＬＣＤ４１の表示を確認しながら操作キー４０を操作する作業が行いやすくなる。
【００９２】
操作キー４０は、ＬＣＤ４１の周囲に設けられた操作キー４０Ａ、操作パネル４の右端側に設けられた操作キー４０Ｂ、操作パネル４の左端側に設けられた操作キー４０Ｃの３つに大別される。操作キー４０Ａは、ＬＣＤ４１の周囲であって、左右の両側方にＬＣＤ４１の側縁に沿って各々一列に配置されている。このように、ＬＣＤ４１の左右両側に操作キー４０Ａを配置することにより、ＬＣＤ４１の側方のスペースを有効利用できる。
【００９３】
ＬＣＤ４１の右方に設けられた操作キー４０Ａは、動作モード選択キー４０Ａ１〜４０Ａ３を備えている。動作モード選択キー４０Ａ１〜４０Ａ３は、複合機１の動作モードを指定するキーであり、ＦＡＸ動作モード選択キー４０Ａ１、コピー動作モード選択キー４０Ａ２、スキャナ動作モード選択キー４０Ａ３で構成されている。複合機１は、通常状態では、ファクシミリデータを受信するファクシミリとして動作させるべく、ファクシミリモード（受信モード）が設定されている。動作モード選択キー４０Ａ１〜４０Ａ３による入力操作が実行されると、ファクシミリモード（受信モード）から、操作された動作モード選択キー４０Ａ１〜４０Ａ３に対応する動作モードに一時的に変更され、変更された動作モード（操作者に指定された動作モード）での各処理が実行される。
【００９４】
具体的には、ＦＡＸ動作モード選択キー４０Ａ１は、ファクシミリモード（送信モード）での動作を要求するキーであり、このＦＡＸ動作モード選択キー４０Ａ１が押下されると、複合機１において、スキャナ３による原稿の読み取りと読み取った画像データの相手先ファクシミリへの送信とが実行可能となる。コピー動作モード選択キー４０Ａ２は、コピーモードでの動作を要求するキーであり、このコピー動作モード選択キー４０Ａ２が押下されると、複合機１において、スキャナ３による原稿の読み取りと読み取った画像データのプリンタ２への出力とが実行可能となる。スキャナ動作モード選択キー４０Ａ３は、スキャナモードでの動作を要求するキーであり、このスキャナ動作モード選択キー４０Ａ３が押下されると、複合機１において、スキャナ３による原稿の読み取りと読み取った画像データのＰＣへの出力とが実行可能となる。
【００９５】
つまり、かかる動作モード選択キー４０Ａ１〜４０Ａ３は、スキャナ３による読取動作を含む機能、即ち、ファクシミリ機能（画像データ送信）、コピー機能、スキャナ機能において、いずれを実行するかを指定するキーとなっている。
【００９６】
本実施形態の各処理において使用される各キーの役割について、本実施形態の概要と関連付けて説明する。
【００９７】
操作キー４０Ｂは、一時停止キー４０Ｂ１、確定キー４０Ｂ２、戻しキー４０Ｂ３，４０Ｂ４を備えている。一時停止キー４０Ｂ１は、ＬＣＤ４１における表示の進行を一時停止するための停止指令（所定の指定）を入力するキーである。操作者にて、一時停止キー４０Ｂ１が押下されると、そのタイミングで表示動作の進行は停止状態となり、同じ表示が継続される。かかる状態において、表示中の画像データ、即ち、原稿の先端（読取開始端）から表示の後端（最後尾）までの画像データが、出力範囲として規定されることとなる。スキャナ３により読み取られた画像データは、順次ＬＣＤ４１に表示されるので、操作者は、ＬＣＤ４１を視認しつつ一時停止キー４０Ｂ１を操作することにより、読取対象の１の原稿において、所望の出力範囲を規定することができる。
【００９８】
一般に、スキャナによる原稿の読み取りにはハード回路が用いられており、原稿の画像データを取得する処理は、高速化されている。従って、この読取速度に同期させて、読み取った画像データを読み取りとほぼ同時にＬＣＤ４１に表示する従来の読取装置では、読み取った画像データがＬＣＤ４１に表示されても、操作者は、読取動作が実行されたことを認識する程度の確認しかできなかった。つまり、従来の読取装置では、一般的な操作者が、読み取りに並行して表示される画像データの内容を視認して、例えば、読取原稿の順番間違いや、誤った原稿の読み取り等を把握することが困難であった。特に複数の原稿が連続して読み取られる場合には、瞬時に画面表示が切り替わってしまうため、操作者が読み取られた画像データの内容を確認することを、ますます困難としていた。
【００９９】
しかし、本複合機１は、ＬＣＤ４１への画像データの表示速度が読取速度に比べて遅い速度となるように設計されている。従って、ＬＣＤ４１に表示される画像データの視認性を向上させることができ、操作者に的確に、読み取られた原稿の内容を確認させることができる。
【０１００】
確定キー４０Ｂ２は、出力範囲を確定するためのキーとなっており、また、戻しキー４０Ｂ３，４０Ｂ４は、出力範囲を変更するための操作キーである。一時停止キー４０Ｂ１の入力操作により規定された出力範囲は、確定キー４０Ｂ２が押下される前においては、この戻しキー４０Ｂ３，４０Ｂ４の操作によって、読み取った画像データの範囲内で変更することができる。
【０１０１】
複合機１では、スキャナ３による原稿の読み取りは連続的に行われ、また、読み取った画像データのＬＣＤ４１への表示についても連続的に行われる。このため、一時停止キー４０Ｂ１の操作により規定される出力範囲は刻々と変化する。ここで、操作者が操作タイミングを誤ると、操作者にとって不本意な位置で出力範囲が確定されてしまい、操作者所望の出力範囲を規定することができないという事態が発生しかねない。そこで、複合機１には、一時停止キー４０Ｂ１の入力操作に伴って規定された出力範囲を変更することができるように、戻しキー４０Ｂ３，４０Ｂ４が設けられている。このため、確定キー４０Ｂ２が押下される前に、戻しキー４０Ｂ３，４０Ｂ４が操作されて出力範囲が変更された場合には、その変更された出力範囲が、実際に出力先装置に出力する範囲となり、また、戻しキー４０Ｂ３，４０Ｂ４未操作で確定キーが押下された場合には、一時停止キー４０Ｂ１の押下に伴って規定された範囲そのままが出力範囲となる。
【０１０２】
戻しキー４０Ｂ３は、出力範囲を縮小するための操作キーである。複合機１では、主走査方向（複合機１の奥行き方向）にラインイメージセンサにて読み取られた１ラインのデータを１単位とし、ライン単位で出力範囲の変更が実行し得るようになっている。戻しキー４０Ｂ３が１回押下されると、出力範囲の終端位置が現在位置から１ライン分、原稿先端（読取開始端）側へ移動される。
【０１０３】
戻しキー４０Ｂ４は、出力範囲を拡張するための操作キーである。戻しキー４０Ｂ４が１回押下されると、その終端位置が現在位置から１ライン分、原稿下端側へ移動される。このため、操作者は、縮小した出力範囲を再び拡張したい場合には、この戻しキー４０Ｂ４を操作することにより所望の位置まで、出力範囲を復元することができる。
【０１０４】
尚、本複合機１では、原稿の読取速度は画像データの表示速度に比べて高速であるため、ＬＣＤ４１に表示されている範囲以上の画像データが既に読み取られている。このため、戻しキー４０Ｂ４の操作により、縮小された出力範囲の復元（一時停止キー４０Ｂ１の入力にて規定された出力範囲までの拡張）のみならず、一時停止キー４０Ｂ１の入力にて規定された出力範囲を超えて、読み取られたデータ位置まで、出力範囲を拡張することができる。これによれば、出力範囲の拡大の微調整を行うことができ、出力範囲を規定する際の制約を小さくして使い勝手を向上させることができる。但し、最も出力範囲が拡張された場合であっても、出力範囲の一端は同じ頁の下端とされ、頁を跨いで（別の原稿まで）出力範囲を拡張することはできない。
【０１０５】
かかる戻しキー４０Ｂ３，４０Ｂ４が操作されると、画像データの出力範囲が変更されることとなり、ＬＣＤ４１の画像データの表示は、変更された出力範囲に応じて更新される。従って、操作者は、ＬＣＤ４１を視認しつつ戻しキー４０Ｂ３，４０Ｂ４を操作することにより、画像データの出力範囲を所望の範囲に的確に修正することができる。
【０１０６】
操作キー４０Ｃは、「０」から「９」の数字を入力するための各数字キーを備えるテンキーで構成されている。
【０１０７】
以下、図３のブロック図を参照しながら、上記複合機１の動作を制御する制御部２０の概略構成について説明する。図３は、複合機１の電気的構成を示すブロック図である。制御部２０は、プリンタ２、スキャナ３及び操作パネル４を含む複合機１の動作を統括的に制御するものである。制御部２０は、図に示すように、演算装置であるＣＰＵ（Central  Processing  Unit）２１、そのＣＰＵ２１により実行される各種の制御プログラムや固定値データを記憶した書き換え不能な不揮発性のメモリであるＲＯＭ（Read  Only  Memory）２２、各種のデータ等を一時的に記憶するためのメモリであるＲＡＭ（Random  Access  Memory）２３、書き換え可能な不揮発性のメモリであるＥＥＰＲＯＭ（Electrically  Erasable  and  Programmable  ROM）２４を主とするマイクロコンピュータとして構成されており、これらＣＰＵ２１、ＲＯＭ２２、ＲＡＭ２３、ＥＥＰＲＯＭ２４は、バス２５を介して相互に接続されている。またバス２５は、ＡＳＩＣ（Application  Specific  Integrated  Circuit）２６に接続されている。図４及び図５に示すフローチャートのプログラムは、制御プログラム２２ａの一部として、ＲＯＭ３３内に記憶されている。
【０１０８】
ＣＰＵ２１は、ＲＯＭ２２に記憶される制御プログラム２２ａに基づいて、複合機１の各部を制御し、複合機１におけるＦＡＸ動作、コピー動作、スキャナ動作を実行する。
【０１０９】
ＲＡＭ２３は、画像メモリ２３ａ、表示用メモリ２３ｂ、ポインタメモリ２３ｃ、動作モードフラグ２３ｄ、遅延カウンタ２３ｅ、入力頁カウンタ２３ｆ、出力頁カウンタ２３ｇを備えている。
【０１１０】
画像メモリ２３ａは、スキャナ３にて読み取った原稿の画像データを記憶するメモリである。スキャナ３からは、１ライン毎にラインイメージセンサにて原稿が読み取られる毎に、逐次、読み取られた画像データ（ラインデータ）が出力され、その出力順に従って、この画像メモリ２３ａに画像データが記憶される。複数頁の原稿が読み取られた場合には、記憶された画像データは、頁単位で管理される。確定キー４０Ｂ２のキー入力により１の頁における出力範囲が確定されると、その頁に属する画像データの内、確定された出力範囲外の画像データは、画像メモリ２３ａから消去される。これにより、規定された出力範囲の画像データのみが画像メモリ２３ａに保持される。
【０１１１】
尚、本実施形態では、消去される画像データは、原稿の下端側としている。規定される出力範囲は、原稿の先端（読取開始端）を起点として原稿の下端方向へと展開される範囲であるからである。かかる出力範囲確定に伴う画像データの消去が行われると、その消去分、次頁以降の画像データは、画像メモリ２３ａの小さいアドレス側へとシフトされ、次頁の画像データは、先頁に連続して記憶される。
【０１１２】
更に、出力範囲として規定された画像データも、指定された出力先装置へ出力されることを契機としてこの画像メモリ２３aから消去される。
【０１１３】
表示用メモリ２３ｂは、ＬＣＤ４１に表示する画像データを記憶するメモリであり、
読み取られた原稿の頁数に対応する第１表示用メモリ２３ｂ１〜第ｎ表示用メモリ２３ｂｎの複数メモリで構成されている。つまり、読み取られた１頁目の原稿の画像データは、第１表示用メモリ２３ｂ１に書き込まれ、２頁目の原稿の画像データは、第２表示用メモリ２３ｂ２に書き込まれ、・・・、ｎ頁目の原稿の画像データは、第ｎ表示用メモリ２３ｂｎに書き込まれて記憶される。
【０１１４】
スキャナ３からは、読み取られた画像データが逐次、画像メモリ２３ａに書き込まれ、画像メモリ２３ａに書き込まれた画像データは、この表示用メモリ２３ｂに随時書き加えられる。いずれの表示用メモリ２３ｂに画像データを書き込むかは、後述する入力頁カウンタ２３ｆにて示される。表示用メモリ２３ｂに書き込まれた画像データは、この表示用メモリ２３ｂからＬＣＤコントローラ２８に出力され、ＬＣＤ４１へと表示される。尚、第１表示用メモリ２３ｂ１〜第ｎ表示用メモリ２３ｂｎの内、いずれの表示用メモリ２３ｂから画像データを出力するかは、後述する出力頁カウンタ２３ｇにて示される。
【０１１５】
詳細は後に説明するが、出力頁カウンタ２３ｇに指定された１の表示用メモリ２３ｂ（第１表示用メモリ２３ｂ１〜第ｎ表示用メモリ２３ｂｎのいずれか）に記憶される画像データは、最初の１ラインの画像データが書き込まれた際を除いて、遅延カウンタ２３ｅによる計時が終了する毎に、ＣＰＵ２１により読み出されて、ＬＣＤ４１へと出力される。つまり、画像メモリ２３ａから書き込まれた画像データは、（最初の１ラインの画像データ書込時を除いて）各表示用メモリ２３ｂから直ちに出力されるのではなく、遅延カウンタ２３ｅによる計時が終了するまで、出力が待機される。そして、遅延カウンタ２３ｅによる計時が終了する毎に、出力する画像データは１ライン分ずつ追加された態様で、ＬＣＤ４１へと出力される。このため、表示用メモリ２３ｂに記憶される画像データは、１ライン分ずつ追加されて、順次、ＬＣＤ４１に表示されると共に、画像メモリ２３ａからの書込みに対し、遅延して出力される。即ち、画像データの表示（更新）速度は、遅延カウンタ２３ｅの動作によって遅延される分、読取速度に比べ遅くなる。
【０１１６】
また、出力範囲が規定された後に上記した戻しキー４０Ｂ３，４０Ｂ４が操作されると、その操作に応じて、表示用メモリ２３ｂからＬＣＤ４１に出力する画像データの範囲が変更される。尚、出力範囲が変更された場合、表示用メモリ２３ｂから出力される画像データの範囲は変更されるが、その出力範囲の変更に応じて、表示用メモリ２３ｂに記憶される画像データが変更されることはない。
【０１１７】
ポインタメモリ２３ｃは、ＬＣＤ４１に表示する画像データの終端を示すアドレスを記憶するメモリである。具体的には、このポインタメモリ２３ｃには、ＬＣＤ４１に表示する終端の画像データの表示用メモリ２３ｂにおける記憶位置（アドレス）が記憶されている。読み取った原稿画像は、頁毎でＬＣＤ４１に表示されるようになっており、表示する頁に対応する第１表示用メモリ２３ｂ１〜第ｎ表示用メモリ２３ｂｎのいずれかにおいて、先頭の画像データから、ポインタメモリ２３ｃが示すアドレスまでの画像データが、ＬＣＤ４１に表示する画像データとして指定される。尚、いずれの頁を表示するか、言い換えれば、第１表示用メモリ２３ｂ１〜第ｎ表示用メモリ２３ｂｎのいずれから画像データを読み出すかは、出力頁カウンタ２３ｇによって示される。
【０１１８】
最初の１ライン分の画像データが表示用メモリ２３ｂに書き込まれると、その１ラインの画像データの最後のデータが記憶されたアドレス（最後のアドレス）が、このポインタメモリ２３ｃに書き込まれる。その後、遅延カウンタ２３ｅの計時が終了する毎に、ポインタメモリ２３ｃに記憶される値に所定数ｎが加算される。所定数ｎは、１ライン分の画像データを記憶するための番地の数に対応しているので、所定数ｎが加算されることにより、１ラインずつ拡張された範囲がＬＣＤ４１に表示する画像データの領域とされる。画像データをＬＣＤ４１に表示する際に、ＣＰＵ２１によりこのポインタメモリ２３ｃは参照され、そのアドレスで指定されるデータを終端として、指定された第１表示用メモリ２３ｂ１〜第ｎ表示用メモリ２３ｂｎから画像データが読み出される。これにより、スキャナ３により読み取られた画像データが、順次、ＬＣＤ４１に表示される。
【０１１９】
本実施形態では、複合機１は、ＬＣＤ４１に表示中の画像データに基づいて画像データの出力範囲を規定するように構成されており、上記したように、一時停止キー４０Ｂ１が操作されると、その時点で表示中の画像データを出力範囲として規定するものである。表示中の画像データの範囲は、ポインタメモリ２３ｃに記憶される表示用メモリ２３ｂのアドレスにてＣＰＵ２１に認識されるので、このポインタメモリ２３ｃに記憶されるアドレスに基づいて、１の頁における画像データの出力範囲が規定される。
【０１２０】
また、複合機１は、一時停止キー４０Ｂ１の入力により規定された出力範囲を、戻しキー４０Ｂ３，４０Ｂ４の操作で変更可能に構成されている。ここで、出力範囲の変更は、１ラインデータ毎に行われるので、１回の変更によって表示用メモリ２３ｂから削除又は復元されるデータ領域は、１ライン単位、即ち、所定数のビットマップデータ単位である。いいかえれば、所定数のビットマップデータを記憶するアドレス単位ｎ（所定数ｎ）で、画像データの終端が移動する。このため、戻しキー４０Ｂ３，４０Ｂ４が操作されるとその操作に応じて、ＣＰＵ２１により、この所定数ｎがポインタメモリ２３ｃに記憶されるアドレスに加減算されるようになっている。故に、一度規定された出力範囲がその後の操作によって変更されても、ポインタメモリ２３ｃに記憶されるアドレスによって、表示用メモリ２３ｂに記憶される画像データのいずれの範囲がＬＣＤ４１に表示されているかが的確に示される。その結果、複合機１は、変更後の出力範囲の画像データを確実に出力することができる。
【０１２１】
動作モードフラグ２３ｄは、複合機１の動作モードを示すフラグである。言い換えれば、スキャナ３により読み取った画像データを出力する出力先装置を示すためのものであり、出力先装置に対応してＦＡＸフラグ２３ｄ１、プリンタフラグ２３ｄ２、ＰＣフラグ２３ｄ３の３つのフラグを備えている。
【０１２２】
複合機１は、複数の機能、即ち、ファクシミリ機能、コピー機能、スキャナ機能、プリンタ機能を有するものである。スキャナ３により画像データを読み取る処理は、ファクシミリ機能（画像データ送信時）、コピー機能、スキャナ機能に共通の動作であるため、いずれの機能を実行すべきかが示されていなければ、画像データの読み取り後、各機能に応じた処理を実行することができなくなってしまう。
【０１２３】
このため、スキャナ３による画像データの読み取りが実行された場合に複合機１において実行する機能が、ファクシミリ機能（画像データの送信）、コピー機能、スキャナ機能のいずれであるかを示すべく、ＦＡＸフラグ２３ｄ１、プリンタフラグ２３ｄ２、ＰＣフラグ２３ｄ３が動作モードフラグ２３ｄとして、複合機１には設けられている。
【０１２４】
各フラグ２３ｄ１〜２３ｄ３は、操作者の所定の入力操作に応じて、オンおよびオフされる。具体的には、操作パネル４から、ＦＡＸ動作モード選択キー４０Ａ１が入力されると、操作者が本複合機１をファクシミリとして画像データを送信することを所望していると判断し、ＦＡＸフラグ２３ｄ１がオンされる一方、プリンタフラグ２３ｄ２とＰＣフラグ２３ｄ３とがオフされる。このＦＡＸフラグ２３ｄ１のオンにより、複合機１に設定された動作モードがファクシミリモードであって、出力先装置がファクシミリであることが示される。
【０１２５】
同様に、操作パネル４から、コピー動作モード選択キー４０Ａ２が入力されると、プリンタフラグ２３ｄ２がオンされる一方、ＦＡＸフラグ２３ｄ１とＰＣフラグ２３ｄ３とがオフされる。このプリンタフラグ２３ｄ２のオンにより、複合機１に設定された動作モードがコピーモードであり、出力先装置がプリンタ２であることが示される。また、操作パネル４から、スキャナ動作モード選択キー４０Ａ３が入力されると、ＰＣフラグ２３ｄ３がオンされる一方、ＦＡＸフラグ２３ｄ１とプリンタフラグ２３ｄ２とがオフされる。このＰＣフラグ２３ｄ３のオンにより、複合機１に設定された動作モードがスキャナモードであり、出力先装置がＰＣであることが示される。
【０１２６】
この動作モードフラグ２３ｄは、後述する読取処理（図４参照）において、ＣＰＵ２１によって参照され、動作モードフラグ２３ｄが示す動作モードに応じた機能が実現される。
【０１２７】
尚、通常は、複合機１の動作モードは、ファクシミリ受信を実行するためのファクシミリモードとなっている。このため、オンされた動作モードフラグ２３ｄに応じた処理が実行された後は、全ての動作モードフラグ２３ｄはオフされ、ファクシミリを受信する受信モードとなる。また、ファクシミリモード（画像データの受信モード）に設定されている状態において、パラレルＩ／Ｆ２９やＵＳＢ端子７１、スロット７２からの画像データの受信や入力があった場合には、複合機１の動作モードは、一時的に、プリンタとして本複合機１を動作させるプリンタモードとなる。
【０１２８】
遅延カウンタ２３ｅは、原稿画像の読み取りに対して遅延して画像データを表示させる時間（遅延時間）を計時するものである。１のラインの画像データが表示された後、この遅延カウンタ２３ｅにて計時される遅延時間、次ラインの画像データの表示は待機される。この遅延カウンタ２３ｅには、新たに１ラインの画像データがＬＣＤ４１に表示されたタイミングで０がセットされる。そして、後述する表示編集処理において、この遅延カウンタ２３ｅのカウント値は、遅延時間に相当する所定数（例えば１００など）に到達するまで、１ずつ加算される。この遅延カウンタ２３ｅのカウント値が所定数に達すると、ＣＰＵ２１により、所定時間が経過したと判断され、次のラインの画像データがＬＣＤ４１に現出される。つまり、この遅延カウンタ２３ｅのカウント値にて画像データの表示タイミングが制御され、画像データの書込に遅れて、画像データが、順次ＬＣＤ４１に表示されることとなる。
【０１２９】
入力頁カウンタ２３ｆは、表示用メモリ２３ｂに画像データを書き込む際に、第１表示用メモリ２３ｂ１〜第ｎ表示用メモリ２３ｂｎのいずれのメモリに画像データを書き込むかを示すメモリである。言い換えれば、読取中の頁を示すカウンタである。入力頁カウンタ２３ｆのカウント値は、それぞれ、第１表示用メモリ２３ｂ１〜第ｎ表示用メモリ２３ｂｎの各１に対応しており、具体的には、入力頁カウンタ２３ｆのカウント値「１」により第１表示用メモリ２３ｂ１が示され、入力頁カウンタ２３ｆのカウント値「２」により第２表示用メモリ２３ｂ２が示され、・・・入力頁カウンタ２３ｆのカウント値「ｎ」により第ｎ表示用メモリ２３ｂｎが示される。
【０１３０】
この入力頁カウンタ２３ｆには、原稿の読取が開始されるタイミングで１がセットされる。そして、１頁の原稿読取終了後に次頁があることが検出されると、該カウント値に１加算される。これにより、新たな原稿が読み取られる毎に、入力頁カウンタ２３ｆのカウント値は１ずつ更新（カウントアップ）される。尚、最終頁の読み取り終了後は、新たな読取動作が開始されるまで、最終頁に対応する値が保持される。このため、この入力カウンタ２３ｆのカウント値によって、今回の一連の読取動作によって読み取った原稿の総頁数が示される。
【０１３１】
ＣＰＵ２１は、画像メモリ２３ａから表示用メモリ２３ｂへの画像データの書込に際し、この入力頁カウンタ２３ｆのカウント値を参照し、そのカウント値の示すメモリへと画像データを書き込む。よって、第１表示用メモリ２３ｂ１には、１頁目の画像データが記憶され、第２表示用メモリ２３ｂ２には２頁目の画像データが記憶され、・・・、第ｎ表示用メモリにはｎ頁目の画像データが記憶される。
【０１３２】
出力頁カウンタ２３ｇは、ＬＣＤ４１に表示する頁を指定するカウンタである。本複合機１は、複数頁の原稿の読み取りを連続的に実行し得るものであり、各頁それぞれの画像データを記憶する表示用メモリ２３ｂ（第１表示用メモリ２３ｂ１〜第ｎ表示用メモリ２３ｂｎ）が設けられている。出力頁カウンタ２３ｇは、かかる第１表示用メモリ２３ｂ１〜第ｎ表示用メモリ２３ｂｎの内、いずれのメモリに記憶される画像データをＬＣＤ４１に出力するかを指定するものである。
【０１３３】
具体的には、この出力頁カウンタ２３ｇのカウント値は、それぞれ、第１表示用メモリ２３ｂ１〜第ｎ表示用メモリ２３ｂｎの各１に対応しており、出力頁カウンタ２３ｇのカウント値「１」により第１表示用メモリ２３ｂ１が示され、出力頁カウンタ２３ｇのカウント値「２」により第２表示用メモリ２３ｂ２が示され、・・・出力頁カウンタ２３ｇのカウント値「ｎ」により第ｎ表示用メモリ２３ｂｎが示される。第１表示用メモリ２３ｂ１〜第ｎ表示用メモリ２３ｂｎは、それぞれ、１頁〜ｎ頁の画像データを記憶するものであるので、出力頁カウンタ２３ｇによって、ＬＣＤ４１に表示する頁が指定されることとなる。
【０１３４】
この出力頁カウンタ２３ｇには、表示編集処理が起動されるタイミングで、最初の頁を示す１がセットされる。そして、次頁の画像データ（少なくともその一部）が既に読み取られて表示用メモリ２３ｂに記憶されていると、出力頁カウンタ２３ｇにて示される表示用メモリ２３ｂに記憶される全画像データがＬＣＤ４１に表示された後に、出力頁カウンタ２３ｇのカウント値に１加算され、次の表示用メモリ２３ｂが示される。尚、表示は、読み取り（表示用メモリ２３ｂへの画像データ書込み）に遅れて実行されるので、次頁が存在する場合には先の頁の表示終了時には、表示用メモリ２３ｂには次頁の画像データは既に記憶されている。出力頁カウンタ２３ｇは、ＬＣＤ４１に画像データを表示する際においてＣＰＵ２１に参照され、この出力頁カウンタ２３ｇのカウント値にて示される表示用メモリ２３ｂから画像データが読み出される。
【０１３５】
出力頁カウンタ２３ｇにて指定された頁の画像データを表示することにより、複合機１は、ＬＣＤ４１の画面上に、１頁単位で画像データを表示することができる。複数頁を全て１画面で表示しようとすれば、１頁に対して割り付けられる表示領域が縮小されてしまい視認性を低下させる。その上、頁数に応じていちいち画面の割り付けを変更せねばならず、表示に対する制御が複雑になる。しかし、１頁毎に画像データを表示するので、複数頁を１度に表示するよりも、視認性容易な態様で画像データをＬＣＤ４１に表示することができる上、表示の制御を簡便にすることができる。
【０１３６】
尚、上記のポインタメモリ２３ｃ、入力頁カウンタ２３ｆ、出力頁カウンタ２３ｇの値は、読取処理の開始に際して、いずれも０クリアされる。
【０１３７】
ＡＳＩＣ２６は、ＣＰＵ２１からの指令に従い、プリンタ２、スキャナ３、操作パネル４、及びスロット７２の動作制御を行う。また、スキャナ３による読取動作の実行時においては、原稿検出センサ３０からの検出値に応じて、駆動系のオンとオフとを実行する。プリンタ２、スキャナ３及びスロット７２は、詳細な説明は省略するが、制御部２０により、プリンタ２を駆動するモータやインクジェット記録ヘッド、スキャナ３のＡＤＦ７を駆動するモータや画像読取ユニット等の動作が制御される。
また、ＡＳＩＣ２６には、コンピュータとパラレルケーブル又はＵＳＢケーブルを介してデータの送受信を行うためのパラレルインタフェース２９及びＵＳＢ端子７１が接続されている。さらに、ＡＳＩＣ２６には、ファクシミリ機能を実現するためのＮＣＵ（Network  Control  Unit）３１やモデム３２が接続されている。モデム３２は、画情報及び通信データを変調及び復調して伝送すると共に伝送制御用の各種手順信号を送受信するためのものであり、送信データを一時的に記憶する送信バッファ３２ａを備えている。ファクシミリ送信される画像データは、画像メモリ２３ａから１ライン分ずつこの送信バッファ３２aに書き込まれ、この送信バッファ３２ａに一端記憶されてから、回線を介して接続される相手側ファクシミリ（出力先装置）へ送信される。
【０１３８】
更に、ＡＳＩＣ２６には、複合機１に所望の指令を入力する操作キー４０を制御するパネルゲートアレイ２７が接続されている。パネルゲートアレイ２７は、操作キー４０の押下を検出して、所定のコード信号を出力する。このキーコードは、複数の操作キー４０に対応して割り当てられている。ＣＰＵ２１は、パネルゲートアレイ２７から所定のキーコードを受信すると、所定のキー処理テーブルに従って、実行すべき制御処理を行う。キー処理テーブルは、キーコードと制御処理とを対応させてテーブル化したものであり、例えば、ＲＯＭ２２に記憶されている。
【０１３９】
また、ＡＳＩＣ２６には、ＬＣＤ４１の画面表示を制御するＬＣＤコントローラ２８が接続されている。ＬＣＤコントローラ２８は、ＣＰＵ２１の指令に基づいて、ＬＣＤ４１にプリンタ２又はスキャナ３の動作に関する情報や、スキャナ３による読取画像或いは入力画像を画面に表示させる。ＬＣＤ４１に表示する画像データは、ＣＰＵ２１によってＬＣＤコントローラ２８に出力される。ＬＣＤコントローラ２８は、内蔵するメモリに受信した画像データを記憶すると共に、一定周期で該内蔵メモリを走査して、当該内蔵メモリに記憶される画像データ（ビットマップデータ）に基づいて、ＬＣＤ４１に出力する各画素のＲＧＢ信号を生成している。従って、新たな画像データを受信する毎に内蔵メモリの内容が更新され、その更新された内容がＬＣＤ４１の表示に反映される。つまり、既に表示された画像データ部分の表示は変わらないので、スキャナ３による画像の読み取りが進行するにつれて、新たな画像データがＬＣＤ４１に現出され、読み取られた画像データが順次表示されることとなる。
【０１４０】
ＬＣＤ４１は、ＲＧＢ３原色それぞれに対応した、図示しないマトリクススイッチを備えている。このマトリクススイッチに電荷が加えられることによりマトリクススイッチの直下の液晶分子が光を透過する方向に揃うため、ＲＧＢのいずれかの色がＬＣＤ４１に表示されることとなる。このマトリクススイッチ一つ一つが、ＲＧＢそれぞれの１ドット（１サブドット）に対応する。ＬＣＤコントローラ２８で生成されるＲＧＢ信号は、ＲＧＢ３原色にそれぞれ対応している。かかる生成されたＲＧＢ信号に応じてマトリクススイッチには電圧が印加され、ＬＣＤ４１にはＣＰＵ２１が作成した情報（スキャナ３にて読み取った画像データを含む）に基づいた表示画面が表示されることになる。
【０１４１】
ＬＣＤコントローラ２８においては、表示用メモリ２３ｂから新たに画像データを受信する毎に、内蔵メモリの内容が更新されることとなり、読み取られた画像データは順次（所定の単位量ずつ、本実施形態では１ライン分ずつ）ＬＣＤ４１に表示される。
【０１４２】
尚、本実施形態では、表示用メモリ２３ｂからＬＣＤコントローラ２８への画像データの出力は、遅延カウンタ２３ｅの動作に応じて遅延されるので、読取速度とは非同期（低速）で、ＬＣＤ４１に読み取った画像データは表示される。つまり、画像メモリ２３ａ（表示メモリ２３ｂ）に対して読み取られた１ラインの画像データが蓄積されるペース（速度）よりも表示メモリ２３ｂから１ラインの画像データが読み出されて表示されるペース（速度）が遅くなるようにタイミングが制御される。
【０１４３】
次に、図４から図６のフローチャートと、図７のメモリ動作の概要図とを参照して、上記のように構成された複合機１で実行される各処理を説明する。本複合機１は、図４に示す原稿を読み取るための読取処理と、図５に示す読み取った画像データを表示する表示編集処理とをマルチタスクによって時分割で実行するように構成されている。
【０１４４】
図４は、複合機１で実行される読取処理を示したフローチャートである。読取処理は、所定時間毎にＣＰＵ２１により定期的に読み出されて実行され、動作モード選択キー４０Ａ１〜４０Ａ３からの入力に応じて原稿画像の読み取りを実行する処理である。この読取処理では、まず、動作モード選択キー４０Ａ１〜４０Ａ３からの入力があったかを確認する（Ｓ１）。ここで動作モード選択キー４０Ａ１〜４０Ａ３からの入力がなければ（Ｓ１：Ｎｏ）、ファクシミリ送信、コピー、スキャナのいずれの機能の使用も要求されていないので、この読取処理を終了する。一方、動作モード選択キー４０Ａ１〜４０Ａ３からの入力があれば（Ｓ１：Ｙｅｓ）、ファクシミリ送信、コピー、スキャナのいずれかの実行要求であるので、入力された動作モード選択キー４０Ａ１〜４０Ａ３に応じて動作モードフラグの状態を更新する（Ｓ２）。
【０１４５】
具体的には、入力されたキーがファクシミリ動作モード選択キー４０Ａ１であれば、ＦＡＸフラグ２３ｄ１をオンしてスキャナ３にて読み取られた画像データの出力先装置が相手先のファクシミリであることを示すと共に、ファクシミリモードを設定する。入力されたキーがコピー動作モード選択キー４０Ａ２であれば、プリンタフラグ２３ｄ２をオンしてスキャナ３にて読み取られた画像データの出力先装置がプリンタ２であることを示すと共に、コピーモードを設定する。入力されたキーがスキャナ動作モード選択キー４０Ａ３であれば、ＰＣフラグ２３ｄ３をオンしてスキャナ３にて読み取られた画像データの出力先装置がＰＣであることを示すと共に、スキャナモードを設定する。尚、入力された動作モードキーに対応する動作フラグ以外の他の２の動作フラグは、このＳ２の処理においてオフされる。
【０１４６】
その後、オンされた動作モードフラグ２３ｄが何であるかを確認し（Ｓ３）、オンされた動作モードフラグ２３ｄが、ＦＡＸフラグ２３ｄ１であれば（Ｓ３：ＦＡＸフラグ）、ファクシミリ動作（ファクシミリ送信動作）を実行するために必要な各種のパラメータの設定を行うＦＡＸパラメータ設定処理を行う（Ｓ４）。尚、このＦＡＸパラメータ設定処理にて設定されるパラメータとしては、相手先ファクシミリの電話番号や解像度などが例示される。
【０１４７】
次に、入力頁カウンタ２３ｆに１をセットすると共に（Ｓ５）、出力頁カウンタ２３ｇに１をセットしてから（Ｓ６）、表示編集処理を起動する（Ｓ７）。表示編集処理（図５参照）は、読取処理によって読み取られた原稿の画像データのＬＣＤ４１への表示すると共に、操作者による入力操作に基づいて画像データの出力範囲の規定を行う処理である。表示編集処理は、読取処理によって起動された後、ＣＰＵ２１により、読取処理とマルチタスクで実行される。
【０１４８】
Ｓ７の処理によって表示編集処理を起動した後は、スキャナ３を駆動して原稿画像を１ライン分読み取る（Ｓ８）。そして、読み取った画像データを画像メモリ２３ａに書き込んでから（Ｓ９）、更に、画像メモリ２３ａに書き込んだ画像データを、入力頁カウンタ２３ｆのカウント値にて示される表示用メモリ２３ｂに書き込む（Ｓ１０）。
【０１４９】
本実施形態では、画像メモリ２３ａから表示用メモリ２３ｂへの画像データの書込動作を遅延させるのではなく、表示用メモリ２３ｂからＬＣＤ４１への画像データの出力が、原稿の読み取りに対して遅延されるように構成されている。このため、画像メモリ２３ａから表示用メモリ２３ｂへの画像データの書き込みは、遅延されることなく実行され、Ｓ８の処理によって、画像メモリ２３ａに書き込まれた画像データは、次いで実行されるＳ９の処理によって直ちに表示用メモリ２３ｂに書き込まれる。尚、画像メモリ２３ａから表示用メモリ２３ｂへの画像データの書き込みを遅延させることにより、原稿の読取速度よりも画像データの表示速度を遅くするように、複合機１を構成しても良い。
【０１５０】
その後、スキャナ３の読取位置が原稿下端に到達したかを確認する（Ｓ１１）。その結果、読取位置が原稿下端に到達していなければ（Ｓ１１：Ｎｏ）、原稿画像の最後のラインまでの読み取りは未完了であって、読み取られていない原稿画像が残存しているので、その処理をＳ８の処理に移行して、スキャナ３による読み取りが原稿下端に達っするまで、繰り返してＳ８〜Ｓ１１の処理を実行する。
【０１５１】
また、Ｓ１１の処理において、スキャナ３の読取位置が原稿下端に到達していれば（Ｓ１１：Ｙｅｓ）、原稿画像の最後のラインまでスキャン３による画像データの読み取りは完了しているので、次頁（次原稿）があるか否かを、原稿検出センサ３０の検出値に基づいて判断する（Ｓ１２）。ここで、次頁が無いと判断された場合（Ｓ１２：Ｎｏ）、全ての原稿の読み取りは終了であるので、この読取処理を終了する。尚、スキャナ３による原稿の読取をＦＢＳにて実行している場合には、次原稿は存在しないので、１頁の原稿の読み取りが完了すると、読取処理は終了となる。
【０１５２】
一方、Ｓ１２の処理で確認した結果、次頁があると判断されると（Ｓ１２：Ｙｅｓ）、入力頁カウンタ２３ｆのカウント値に１加算して（Ｓ１３）、次頁を指定する状態としてから、その処理をＳ８の処理に移行して、最終頁の原稿読取が完了するまで、繰り返してＳ８〜Ｓ１２の処理を実行する。尚、ＡＤＦ７を動作させて複数頁の読み取りが（連続して）実行されている場合には、次頁有りと判断されると、Ｓ８の処理に移行する前に、非図示のステップにより、読取済の原稿の原稿排出トレイ１０への排出と、次原稿（次頁）の読取位置へのセットとが、複合機１の各部を動作させて実行される。
【０１５３】
また、Ｓ３の処理で確認した結果、オンされた動作モードフラグ２３ｄがプリンタフラグ２３ｄ２であれば（Ｓ３：プリンタフラグ）、要求された動作はコピーであるので、コピーを行うための各種パラメータを設定するコピーパラメータ設定処理を実行して（Ｓ１４）、その処理をＳ５の処理に移行する。更に、Ｓ３の処理で確認した結果、オンされた動作モードフラグ２３ｄがＰＣフラグ２３ｄ３であれば（Ｓ３：ＰＣフラグ）、要求された動作は読み取った画像データをＰＣに出力するスキャナ動作であるので、かかるスキャナ動作を行うための各種パラメータを設定するＰＣスキャナ設定処理を実行して（Ｓ１５）、その処理をＳ５の処理に移行する。
【０１５４】
図５は、表示編集処理のフローチャートである。ここでは、ファクシミリ送信が選択された場合を例として説明する。表示編集処理は、読み取った画像データを読取速度よりも遅い速度でＬＣＤ４１に表示すると共に、読み取った画像データの出力範囲をＬＣＤ４１の表示画面上から決定する処理である。尚、出力先装置として、プリンタ２やＰＣが指定されている場合においても、この表示編集処理と同様の処理が実行され、ＦＡＸ送信処理（Ｓ３０）に代えて、出力先装置に応じた出力処理が実行される。
【０１５５】
この表示編集処理では、まず、出力頁カウンタ２３ｇが示す表示用メモリ２３ｂ（第１表示用メモリ２３ｂ１から第ｎ表示用メモリ２３ｂｎのいずれか）に、１ライン分の画像データが記憶されているかを確認する（Ｓ２１）。尚、出力頁カウンタ２３ｇの値は、読取処理が開始されることにより１にセットされているので、まず、第１表示用メモリ２３ｂ１、即ち１頁目の画像データが指定されることとなる。
【０１５６】
本実施形態では、原稿の各ラインの画像データは、先の１ラインの表示から所定時間経過後にＬＣＤ４１に表示される。１頁目の先頭ラインの画像データの表示は、遅延カウンタ２３ｅによる所定時間のウェイトを行うことなく、実行される。このため、場合によっては、表示用メモリ２３ｂへの先頭ラインの画像データが未完了であるという事態が生じかねない。本実施形態では、１ライン分の画像データを出力の最小単位としているので、このＳ２１の処理によって、最小単位の出力データが、表示用画像メモリ２３ｂに記憶されているかを確認する。
【０１５７】
その結果、１ライン分の画像データが表示用メモリ２３ｂに記憶されていなければ（Ｓ２１：Ｎｏ）、１ライン分の画像データが、出力頁カウンタ２３ｇが示す表示用メモリ２３ｂに記憶されるまで、Ｓ２２以降の処理を待機する。一方、１ライン分の画像データが表示用メモリ２３ｂに記憶されていれば（Ｓ２１：Ｙｅｓ）、先頭の１ライン分の画像データの最後のデータが記憶されるアドレス（表示用メモリ２３ｂのアドレス）をポインタメモリ２３ｃに記憶する（Ｓ２２）。
【０１５８】
図７（ａ）には、左方に画像メモリ２３ａ、右方に表示用メモリ２３ｂ、画像メモリ２３ａと表示用メモリ２３ｂとの中間にポインタメモリ２３ｃ、ポインタメモリ２３ｃの下方に出力頁カウンタ２３ｆを模式的に表示している。この図７において、画像メモリ２３ａ及び表示用メモリ２３ｂは、それぞれ０〜Ｘ番地のアドレスを有しており、同じ画像データは、画像メモリ２３ａ及び表示用メモリ２３ｂとにおいて同じアドレスに保持される。尚、ここで説明する画像メモリ２３ａ及び表示用メモリ２３ｂのアドレスは、メモリの先頭をいずれも０番地として仮想的に付与されたアドレスである。このため、実際の画像データの読み出しや書込の際には、仮想的に付与された上記アドレスには、オフセット値が加算され、実際のＲＡＭ２３における記憶位置を示す実アドレスに変換される。
【０１５９】
また、説明を簡単にするために、図７においては、１ライン分の画像データは、１００のアドレス領域に記憶されることとし、１の原稿の全画像データは２０００のアドレス領域に記憶されるものとする。従って、原稿の全画像データが読み取られた場合には、１頁目の原稿の画像データは、画像メモリ２３ａの０番地から１９９９番地に、２頁目の原稿の画像データは、２０００番地から３９９９番地に記憶される。図７において、各メモリ２３ａ，２３ｂの内、画像データが記憶された領域は斜線にて図示し、表示用メモリ２３ｂにおいてＬＣＤ４１に出力される領域は網掛け線にて図示している。
【０１６０】
この図７（ａ）に示すように、読取処理により画像メモリ２３ａから表示用メモリ２３ｂに書き込まれた画像データに対し、Ｓ２２の処理においては、記憶された画像データの最終（最後）のアドレスが、ポインタメモリ２３ｃに記憶される。
【０１６１】
次いで、出力頁カウンタ２３ｇのカウント値にて示される１の表示用メモリ２３ｂに記憶される画像データの内、先頭アドレスからポインタメモリ２３ｃに記憶されるアドレスまでの画像データを、ＬＣＤ４１に表示する（ＬＣＤコントローラ２８に出力する）（Ｓ２３）。従って、図７（a）に示すように、先頭の１ライン分の画像データがＬＣＤ４１に表示される。
【０１６２】
尚、表示用メモリ２３ｂからＬＣＤコントローラ２８への画像データの出力は、必ずしも１ライン毎に限られるものではなく、予め定めた単位量、例えば、複数のラインの画像データ毎に行っても良い。
【０１６３】
この出力頁カウンタ２３ｇのカウント値に従って画像データを出力することにより、ＬＣＤコントローラ２８に出力する１群の画像データを、頁単位とすることができる。ＬＣＤコントローラ２８は、受信した画像データを内蔵するバッファに書き込むと共に、そのバッファに記憶される画像データにて、表示画面を形成してＬＣＤ４１に表示する。これにより、表示画面の最前面に１の頁の表示画面が形成される。尚、次頁の表示が行われる場合には、先頁の画像データは、次頁の背面にて表示されている態様となり、実際には、ＬＣＤ４１には非表示とされる（図８参照）。
【０１６４】
その後、遅延カウンタ２３ｅの値を０にセットする（Ｓ２４）。そして、一時停止キー４０Ｂ１が押下（入力）されたかを確認し（Ｓ２５）、一時停止キー４０Ｂ１が未操作であれば（Ｓ２５：Ｎｏ）、遅延カウンタ２３ｅのカウント値に１加算してから（Ｓ２６）、そのカウント値が１００未満であるかを確認する（Ｓ２７）。ここで、遅延カウンタ２３ｅのカウント値が１００未満であれば（Ｓ２７：Ｙｅｓ）、所定の時間（遅延時間、即ち待機時間）は未だ経過していないので、その処理をＳ２５の処理に移行して、一時停止キー４０Ｂ１の入力または、遅延時間の経過（遅延カウンタ２３ｅの値が１００に到達）を待機する。
【０１６５】
尚、表示編集処理と、上記した読取処理とはマルチタスクで実行されるため、遅延時間の経過を待機する間であっても、原稿読取に応じて画像メモリ２３ａに書き込まれた画像データは、順次、表示用メモリ２３ｂに記憶される（図７（ｂ））。
【０１６６】
Ｓ２７の処理において確認した結果、遅延カウンタ２３ｅのカウント値が１００以上であれば（Ｓ２７：Ｎｏ）、ポインタメモリ２３ｃのカウント値が、出力頁カウンタ２３ｇが示す表示用メモリ２３ｂにおいて最終アドレスかを調べる（Ｓ２８）。
【０１６７】
ここで、ポインタメモリ２３ｃのカウント値が最終アドレスであれば（Ｓ２８：Ｙｅｓ）、１頁分の画像データの出力は終了していることとなるので、次頁があるかを確認する（Ｓ２９）。また、次頁があるか否かの確認は、入力頁カウンタ２３ｆのカウント値と出力頁カウンタ２３ｇのカウント値とを比較して行う。つまり、出力頁カウンタ２３ｇのカウント値が、入力頁カウンタ２３ｆのカウント値よりも小さければ、読み取った原稿頁数に、出力した頁数が達していない。これにより、次頁があるか否かを判断することができる。なお、Ｓ２９の処理における次頁の有無についての判断は、これに限られるものではなく、例えば、Ｓ２８の処理で確認したポインタメモリ２３ｃが指定するアドレス以降に、画像データが記憶されているか否かに基づいて次頁の有無を判断しても良い。
【０１６８】
Ｓ２９の処理で確認した結果、次頁がなければ（Ｓ２９：Ｎｏ）、読み取った画像データを、指定された出力先装置であるファクシミリに送信するＦＡＸ送信処理を実行してから（Ｓ３０）、この表示編集処理を終了し、次頁があれば（Ｓ２９：Ｙｅｓ）、出力頁カウンタ２３ｇのカウント値に１加算して（Ｓ３２）、その処理をＳ２１の処理に移行する。かかるＳ３２の処理を経由してＳ２１の処理に移行すると、ＬＣＤ４１の表示画面は、次頁の画像データが最前面に表示される態様となる。
【０１６９】
一方、Ｓ２８の処理で確認した結果、ポインタメモリ２３ｃのカウント値が示すアドレスが、出力頁カウンタ２３ｇが示す表示用メモリ２３ｂの最終アドレスでなければ（Ｓ２８：Ｎｏ）、次ラインの画像データを出力するために、ポインタメモリ２３ｃに記憶されるカウント値に所定数ｎを加算して（Ｓ３１）、その処理をＳ２３の処理に移行する。上記したように、所定数ｎは、１ライン分の画像データを記憶する番地の数に対応しているので、所定数ｎが加算されることにより、ポインタメモリ２３ｃに記憶されるカウント値が、次の１ラインの画像データの最後のアドレスに書き換えられる。図７に示す例では、所定数ｎは１００とされているので、遅延カウンタ２３ｅによる計時終了後、ポインタメモリ２３ｃのカウント値が、００９９から０１９９に書き換えられている（図７（ｃ））。
【０１７０】
また、Ｓ２５の処理で確認した結果、一時停止キー４０Ｂ１が押下されていれば（Ｓ２５：Ｙｅｓ）、ＬＣＤ４１における表示の進行を一時停止するための停止指令の入力である。停止指令の入力によりＳ２５の処理でＮｏに分岐すると、ＬＣＤ４１の表示を更新するＳ２３，Ｓ３１へ移行するルートが回避される。故に、新たなラインの画像データはＬＣＤ４１に表示されず、ＬＣＤ４１に出力中の画像データの表示画面が保持される（停止指令の入力を契機とする表示画面の進行の停止）。
【０１７１】
そして、Ｓ３３以降の処理を行うことにより、この停止指令が入力されたタイミングでＬＣＤ４１に表示されている画像データが、１の原稿の内の出力する画像データの範囲（出力範囲）として規定される。
【０１７２】
これによれば、原稿の画像データの内、必要な範囲が選択されて出力先装置に出力されるので、必要性の高いデータが否であるデータと混在した状態で出力されることを回避できる上、印刷を行う場合において、記録用紙等を節約することができる。
【０１７３】
図７（ｄ）には、１頁目の原稿の表示中に一時停止キー４０Ｂ１が押下された状態を例示している。図７（ｄ）においては、画像メモリ２３ａ及び表示用メモリ２３ｂには２頁目の原稿の途中までの画像データが記憶されているが、ＬＣＤ４１に表示中の画像データは、１頁目、即ち、第１表示用メモリ２３ｂ１の先頭から１６９９番地に記憶された画像データまでであることが示されている。このため、ポインタメモリ２３ｃには、表示されている最後尾の画像データのアドレスである１６９９番地が記憶されている。
【０１７４】
このように、一時停止キー４０Ｂ１の押下により、Ｓ２５の処理においてＮｏに分岐した場合には、戻しキー４０Ｂ３，４０Ｂ４が操作されたかを確認する（Ｓ３３）。そして、戻しキー４０Ｂ３，４０Ｂ４の入力があれば（Ｓ３３：Ｙｅｓ）、一時停止キー４０Ｂ１のキー入力によって規定された出力範囲に対する変更要求である。このため、そのキー入力による出力範囲の変更方向が、戻しキー４０Ｂ３操作による出力範囲を縮小させる戻し方向であるか、戻しキー４０Ｂ４操作による出力範囲を拡張させる復帰方向であるかを確認する（Ｓ３４）。
【０１７５】
確認の結果、変更方向が戻し方向であると（Ｓ３４：戻し方向）、ポインタメモリ２３ｃに記憶されるアドレスから所定数ｎを減算する（Ｓ３５）。図７の例においては、図７（ｅ）に、戻しキー４０Ｂ３が４回操作されることにより、ポインタメモリ２３ｃに記憶される表示の最後尾の画像データに対応する表示用メモリ２３ｂのアドレスが、図７（ｄ）の状態から４ライン分（所定数ｎ（１００）×４）先頭側にシフトされており、表示する画像データの領域が、０番地から１２９９番地までの範囲となった状態が示されている。
【０１７６】
一方、Ｓ３４の処理で確認した結果、変更方向が復帰方向であると（Ｓ３４：復帰方向）、ポインタメモリ２３ｃに記憶されているアドレスに所定数ｎを加算する（Ｓ３６）。戻しキー４０Ｂ４のキー入力は、現在の出力範囲から１ライン分画像データが付加された出力範囲への変更要求である。図７（ｆ）の場合では、表示用メモリ２３ｂにおいて表示する画像データの最後尾のアドレスが１２９９番地であった図７（ｅ）の状態、即ち、ポインタメモリ２３ｃに１２９９番地が記憶されていた状態において、戻しキー４０Ｂ４が２回押下され、ポインタメモリ２３ｃに記憶されるアドレスに所定数ｎとしての１００が２回加算され、記憶されるアドレスが１４９９番地に更新されている。これにより、第１表示用メモリ２３ｂ１において０〜１４９９番地までの画像データがＬＣＤ４１に表示する範囲に設定された状態となっている。
【０１７７】
つまり、一度、縮小した出力範囲を再度拡張（復帰）させることができる。また、出力頁カウンタ２３ｇにて示される表示用メモリ２３ｂに記憶されている画像データの範囲内であれば、一時停止キー４０Ｂ１を押下したタイミングで表示されていた画像データの範囲を超えて、表示範囲（出力範囲）を拡張することができる。
【０１７８】
Ｓ３５又はＳ３６の処理の後は、その処理をＳ３７の処理に移行し、出力頁カウンタ２３ｇのカウント値にて指定される表示用メモリ２３ｂにおいて、先頭アドレスからポインタメモリ２３ｃに記憶されるアドレスまでの画像データをＬＣＤ４１に出力し（Ｓ３７）、ＬＣＤ４１の表示を更新する。本実施形態では、ＬＣＤ４１に表示されている画像データの範囲が、指定された出力先装置への出力データ（出力範囲）となるため、変更された表示範囲に応じて、ＬＣＤ４１の表示を更新することにより、出力範囲の変更を操作者に認識させることができる。
【０１７９】
尚、Ｓ３６の処理において、画像データ読み出し元の１の表示用メモリ２３ｂにおいて画像データが記憶されている範囲を超えて、アドレスが指定された（ポインタメモリ２３ｃに記憶される値が更新された）場合には、Ｓ３７の処理において読み出す画像データがないので、記憶されている画像データの最後尾までが表示範囲となってＬＣＤ４１に出力される。また、Ｓ３７の処理では、出力頁カウンタ２３ｇの指定する表示用メモリの領域内で画像データを読み出すので、戻しキー４０Ｂ３，４０Ｂ４の操作によって画像データ読み出し元の１の表示用メモリ２３ｂの範囲を超えて表示範囲の変更が要求されても、表示中の頁の前後頁の画像データが表示されることはない。
【０１８０】
例えば、１頁目の表示状態において、ポインタメモリ２３ｃに記憶される値が、第１表示メモリ２３ｂの記憶領域を超えるアドレスに更新された場合には、該頁の最後尾の画像データまでがＬＣＤ４１には表示される。
【０１８１】
その後、確定キー４０Ｂ２が押下されたかを確認し（Ｓ３８）、押下されていると（Ｓ３８：Ｙｅｓ）、表示用メモリ２３ｂ及び画像メモリ２３ａにおいて、ポインタメモリ２３ｃに記憶されるアドレス以降に記憶されている画像データを消去する（Ｓ３９）。確定キー４０Ｂ２がキー入力された場合には、出力範囲が確定されたこととなるので、画像メモリ２３ａおよび表示用メモリ２３ｂにおいて、ポインタメモリ２３ｃに記憶されるアドレス以降に記憶される画像データは不要のデータ（出力範囲外）となる。例えば、図７（ｇ）において示すように、１頁目の画像データについては、０番地から１４９９番地までの画像データを表示範囲即ち出力範囲とする場合、１５００番地から１９９９番地に記憶される画像データは不要となるので、画像メモリ２３ａ及び表示用メモリ２３ｂから消去される。
【０１８２】
尚、一時停止キー４０Ｂ１が押下された後に、戻しキー４０Ｂ３，４０Ｂ４が操作されることなく、確定キー４０Ｂ２が入力された場合には、破線にて囲み表示した図７（ｇ’）のように、一時停止キー４０Ｂ１にて規定された出力範囲が、そのまま確定された出力範囲となる。言い換えれば、図７（ｄ）に示した一時停止キー４０Ｂ１にて規定された出力範囲で、画像データは出力先装置に出力される。
【０１８３】
そして、Ｓ３９の処理の後はＳ２９の処理に移行する。一方、Ｓ３３の処理で確認した結果、戻しキー４０Ｂ３，４０Ｂ４の入力がなければ（Ｓ３３：Ｎｏ）、その処理をＳ３８の処理に移行する。また、Ｓ３８の処理で確認した結果、確定キー４０Ｂ２が押下（入力）されていなければ（Ｓ３８：Ｎｏ）、その処理をＳ３３の処理に移行し、戻しキー４０Ｂ３，４０Ｂ４または確定キー４０Ｂ２の入力を待機する。即ち、一時停止キー４０Ｂ１の押下により画像データの表示の進行を停止させた場合には、その一時停止キー４０Ｂ１のキー入力によって静止表示となった画面上の画像データが出力範囲が規定されるが、確定キー４０Ｂ２が押下されなければその原稿の出力範囲は確定されず、規定された出力範囲は、確定キー４０Ｂ２が入力されるまでの期間において、戻しキー４０Ｂ３，４０Ｂ４の操作によって変更することができるようになっている。一時停止キー４０Ｂ１の入力による出力範囲の規定が出力範囲を規定する唯一の処理であると、所望の出力範囲を規定するための操作子の操作に厳格な操作（タイミング）が要求されることとなり、装置の使い勝手が悪化する。従って、複合機１では、一時停止キー４０Ｂ１による出力範囲の規定は暫定的なものとし、その規定された出力範囲を変更可能としている。
【０１８４】
尚、本実施形態においては、次原稿が存在すると、次原稿から読み取った画像データは、画像メモリ２３ａおよび表示用メモリ２３ｂにおいて、先の原稿の画像データの終端に連続して記憶される。つまり、Ｓ３９の処理により、先の原稿について読み取った画像データの一部が消去された場合には、画像メモリ２３ａ及び表示用メモリ２３ｂに記憶される画像データはシフトされる（図７（ｈ）参照）。
【０１８５】
図７（ｈ）の例では、原稿下端まで読み取りが遂行された場合には、１頁目の画像データは１９９９番地まで記憶されるが、出力範囲が縮小されて、実際には、１４９９番地までしかデータは記憶されていない。かかる場合に、本実施形態では、次原稿（２頁目）の画像データを２０００番地から記憶するのではなく、１５００番地から記憶することとしている。
【０１８６】
ここで、１頁目の原稿において出力範囲に規定されなかった部分を余白とし、余白データを１頁目の原稿に対して確保された残りのメモリ領域（図７（ｈ）の例においては、１５００番地から１９９９番地）に記憶させることもできる。つまり、画像メモリ２３ａ及び表示用メモリ２３ｂに記憶させるデータを、画像データ＋余白データのデータ構造とすることもできる。しかし、本実施形態では、表示編集処理の非図示のステップにおいて、データシフトを行い、先の原稿の画像データに連続して次原稿の画像データを記憶するようになっている。このため、画像メモリ２３ａ及び表示用メモリ２３ｂを効率的に使用することができる。
【０１８７】
また、上記したように、この表示編集処理では、読み取り原稿が最終原稿である（次頁なし）と判断されると、画像データを出力先装置へ出力する処理が実行される。このため、操作者は、出力実行を指令するための操作をわざわざ行う必要がない。しかも、かかる次原稿有無の判断を行うステップ（Ｓ２８）は、出力範囲を規定するステップおよび変更するステップの後に設けられているので、操作者所望の出力範囲が確定した後において画像データは出力されることとなり、的確なタイミングで画像データは出力される。
【０１８８】
更に、表示編集処理では、Ｓ２５の処理からＳ２７の処理によって、遅延カウンタ２３ｅによる計時が終了するまで、次ラインの画像データの表示が遅延（待機）される。一方で、原稿読取は、かかる遅延とは無関係に順次進行するため、読取速度よりも遅い速度で、読み取った画像データをＬＣＤ４１に表示することができる。つまり、ある１ラインの読み取り画像データに着目した場合、その１ラインの画像データは読み取りと連動してＬＣＤ４１に表示されるのではなく、遅れたタイミングで表示されることになる。従って、原稿の読み取りが行われ、画像メモリ２３ａに蓄積済みのデータ量と、ＬＣＤ４１に表示済みのデータ量とでは、格差が生じることになる。
【０１８９】
従来の読取装置においても原稿読取に並行して読み取った画像データを表示する構成を備えているが、画像データの表示は、スキャナによる原稿の読み取りと同期して実行されるようになっている。ここでスキャナによる原稿読取は高速化されているため、画像データの表示も高速化されてしまい、ＬＣＤに順次表示される画像データを操作者が視認することは困難となっていた。しかし、本複合機１では、表示編集処理において、遅延カウンタ２３ｅによる計時の実行中は、次ラインの画像データの表示が待機されるので、読取速度（原稿上の読み取られるラインが切り替わるペース）よりも低速で読み取った画像データを１ラインずつ増加させながらＬＣＤ４１に表示することができる。従って、ＬＣＤ４１上では、画像がゆっくりとしたペースで順次増加するように表示されるので、画像の視認性を向上させることができるのである。
【０１９０】
尚、本実施形態では、ラスタ走査で読み取られた原稿の画像データが画像メモリ２３ａ及び表示用メモリ２３ｂに順次記憶されるが、ＬＣＤ４１への画像データの表示に際しては、ＬＣＤ４１の表示画面上の配置に応じて座標変換が行われ、図８に示すように、読み取った原稿の画像データは、読取方向がＬＣＤ４１の表示画面の横方向に沿った方向となるように表示される。
【０１９１】
図６は、図５の表示編集処理の中で実行されるＦＡＸ送信処理（Ｓ３０）のフローチャートである。尚、ＦＡＸ送信処理（Ｓ３０）の実行に先立って、ファクシミリ送信に必要な各処理（例えば、回線の閉結処理）は、予め実行される。
【０１９２】
このＦＡＸ送信処理（Ｓ３０）では、まず、画像メモリ２３ａに記憶される１ライン分の画像データをモデム３２に出力する（Ｓ４１）。モデム３２においては入力された画像データが、その内部の送信バッファ３２ａに記憶される。次に、送信バッファ３２ａに記憶された画像データをファクシミリ送信（回線へ出力）する（Ｓ４２）。そして、回線へ出力した画像データを送信バッファ３２ａと画像メモリ２３aとから消去し（Ｓ４３）、画像メモリ２３ａに、未だ画像データが記憶されているかを確認する（Ｓ４４）。確認の結果、画像メモリ２３ａに記憶されている画像データがなければ（Ｓ４４：Ｎｏ）、画像データのファクシミリ送信は完了しているので、このＦＡＸ処理（Ｓ３０）を終了する。
【０１９３】
また、Ｓ４４の処理で確認した結果、画像メモリ２３ａに記憶されている画像データがあれば（Ｓ４４：Ｙｅｓ）、引き続きファクシミリ送信を行うべく、その処理をＳ４１の処理に移行する。
【０１９４】
尚、Ｓ４３の処理によって、画像データが回線へ出力される（ファクシミリ送信される）ことを契機として、送信バッファ３２ａから画像データを消去しているので、送信バッファ３２ａがバッファフルとなって画像データの書込に支障を来すといったことがない。
【０１９５】
図８は、上記の表示編集処理が実行された場合にＬＣＤ４１に表示される表示画面例を示した図である。この図８においては、Ａ４サイズの原稿を用いて読み取りが行われた場合を例示している。
【０１９６】
表示画面内には、読み取り原稿の原稿サイズにて規定される枠（図８の例では、Ａ４サイズに対応する枠）が表示されており、その枠内に、表示用メモリ２３ｂから読み出された画像データが、表示される。
【０１９７】
また、表示用メモリ２３ｂに記憶される画像データに対し設定される表示範囲は、１ラインずつ変更（拡張）されるので、ＬＣＤ４１には、表示範囲の変更毎に順次更新された画像（１ラインずつ表示範囲が拡大された画像）が表示される。
【０１９８】
図８においてＬＣＤ４１の縦方向に原稿の幅方向（複合機１の奥行き方向）が、ＬＣＤ４１の横方向に原稿の搬送方向が対応しており、枠の左端を原稿上端として、順次、右側方向に読み取られた画像データが表示される。また、図８に示すように、本実施形態では、１頁単位で画像データを表示するように構成されており、表示対象の頁の画像データが画面上において最前面の枠に表示され、先の頁の画像データは、背面側に重ねて表示される態様、即ち非表示になっている。
【０１９９】
ここで、読取原稿にはアルファベットが「ＡＢＣＤ・・・」と記録されており、ＬＣＤ４１において最前面の枠内には、読み取られた原稿の画像データ「ＡＢＣＤ・・・」の文字が現出されている。このＬＣＤ４１の最前面に表示されている画像データがその頁における画像データの出力範囲とされる。また、本実施形態においては、このＬＣＤ４１に現出された画像データ（背面側の枠内の画像データも含む）が出力先装置に出力される画像データの出力範囲とされる。
【０２００】
また、各頁の表示は、一時停止キー４０Ｂ１、戻しキー４０Ｂ３，４０Ｂ４の操作によって、読み取った原稿画像の一部となるように変更することができる。つまり、表示されている範囲が出力範囲となるので、かかる一時停止キー４０Ｂ１、戻しキー４０Ｂ３，４０Ｂ４の操作によって、出力範囲は、読み取った原稿画像の一部に規定されるのである。出力先装置には、枠内に表示される一連の画像データが、１の原稿（１頁）の画像データとして送信（出力）される。
【０２０１】
尚、ＬＣＤ４１に表示される画像データの表示態様は、上記したものに限られるものではない。例えば、スクロール形式で全頁の画像データを表示しても良く、同一画面上に複数頁を表示し（マルチ表示）、画面上から１の頁が指定されることによりその指定頁を拡大表示するなど、各種の表示態様を適宜用いることができる。また、複数の表示態様を、操作者の選択によって切り換えて表示するように構成しても良い。
【０２０２】
図８（ａ）には、一時停止キー４０Ｂ１の入力により、表示の進行が停止された状態を示している。具体的には、ＬＣＤ４１に表示されれいる最前面の枠において、枠の左端から中央付近の停止位置までは、「ＡＢＣＤ・・・」のアルファベットが表示される一方、中央付近（読取停止位置）から右方（２点鎖線で囲まれた範囲）には、画像データは現出されていない。
【０２０３】
上記したように、ＬＣＤ４１には、スキャナ３にて読み取られた画像データが、その読取方向に沿って、順次表示される。このため、操作者は、ＬＣＤ４１の表示を視認して、、所望の位置までの表示が終了すると、そのタイミングで一時停止キー４０Ｂ１を押下して表示の進行を停止させることができる。言い換えれば、一時停止キー４０Ｂ１が押下されたタイミングでＬＣＤ４１に表示されている画像データが、読み取った原稿の出力範囲として規定されることとなる。その後、確定キー４０Ｂ２、戻しキー４０Ｂ３，４０Ｂ４の入力があるまで、一時停止キー４０Ｂ入力までに読み取られた画像データが、継続してＬＣＤ４１に表示される。
【０２０４】
図８（ｂ）は、一時停止キー４０Ｂ１の入力後において、戻しキー４０Ｂ３の入力により、出力範囲が縮小される様子を示した図である。戻しキー４０Ｂ３が１回入力される毎に１ライン分ずつ画像データの表示が消失し（表示編集処理、Ｓ３５，Ｓ３７の処理に対応する表示）、出力範囲の変更が操作者に報知される。
【０２０５】
図８（ｃ）は、戻しキー４０Ｂ３の入力により縮小された出力範囲が、戻しキー４０Ｂ４の入力により復帰（拡張）される様子を示した図である。戻しキー４０Ｂ４が１回入力される毎に１ライン分ずつ画像データの表示が現出し（表示編集処理、Ｓ３６，Ｓ３７の処理に対応する表示）、出力範囲の変更（復元）が操作者に報知される。このため、操作者は、一時停止キー４０Ｂ１の入力にて規定した出力範囲を、容易に変更することができ、また、その変更された範囲を的確に把握することができる。
【０２０６】
このように、本実施形態では、読み取った画像データの一部分を抽出して出力先装置に出力する画像データの出力範囲とすることができる。また、順次表示される画像データが、所望の範囲となったタイミングで、一時停止キー４０Ｂ１を操作するだけで、かかる出力範囲を規定することができる。その上、画像データのＬＣＤ４１への表示は、読取速度に比べて低速で行われるので、ＬＣＤ４１に動的に表示される画像データの視認性を向上させることができる。従って、ＬＣＤ４１に表示される画像データに対し、その範囲が出力を所望する範囲となったことを操作者は的確に判断でき、正確に出力範囲をきていすることができる。
【０２０７】
次に、図９を参照して、第２実施形態について説明する。第１実施形態の複合機１は、表示対象頁の画像データを、その頁全体を１画面で現出させる態様でＬＣＤ４１に表示するように構成された。これに代えて、第２実施形態の複合機１は、ＬＣＤ４１の１画面に１度に表示される表示領域は頁の一部分とされ、その表示領域を頁に対する読取方向に沿って順次移動させるスクロールによって、読み取った原稿の画像データをＬＣＤ４１に表示するように構成されている。尚、第１実施形態と同じ部分には同じ符号を付してその説明を省略する。
【０２０８】
図９は、スクロール表示される画像データの表示画面例を示した図である。原稿の幅方向（複合機１の奥行き方向）がＬＣＤ４１の横方向に沿って表示され、原稿の搬送方向（読取方向）がＬＣＤ４１の縦方向に沿って表示されている。図９においては、原稿はＡ４サイズであって、ＬＣＤ４１よりも大きいものである。ＬＣＤ４１には、この原稿の一部が表示されている。
【０２０９】
図９（a）においては、読み取り（画像データ表示）の初期段階であって、原稿先端部分近傍の画像データが表示されている。その後、図９（ｂ）に示すように、表示の進行に伴って、原稿の下方側へと表示領域は移動され、表示画面が更新されている。
【０２１０】
このため、第２実施形態では、第１実施形態の表示編集処理のＳ２３の処理において、表示用メモリ２３ｂから読み出す画像データの範囲を、先頭アドレスからではなく、ポインタメモリ２３ｃに記憶されるアドレスよりも所定数小さいアドレスからとする。これにより、画像データの表示開始端の位置は、表示最後尾の画像データに連動する変数となり、表示後端から上流側の所定範囲までが、ＬＣＤ４１に順次表示（スクロール表示）される。
【０２１１】
このように、ＬＣＤ４１における画像データの表示をスクロール表示とすることにより、原稿全体を１画面に表示する場合に比べて、原稿の各部分を拡大して表示することができる。その結果、ＬＣＤ４１に表示される画像データに対する操作者の視認性を向上させることができる。
【０２１２】
次に図１０を参照して、第３実施形態について説明する。上記第１実施形態では、複合機１は、表示編集処理によって、読み取った原稿順に表示データを順次ＬＣＤ４１に表示するように構成された。これに代えて、第３実施形態では、複合機１は、操作者にて頁を指定する指定操作が行われると、指定された頁の画像データをＬＣＤ４１に表示するように表示編集処理が構成されている。つまり、第３実施形態では、操作者が所望する頁、即ち、出力範囲の規定が必要な頁を、操作者の指定操作に応じて直ちにＬＣＤ４１に表示するようになっている。また、第３実施形態の複合機１は、第１実施形態の複合機１の構成に加えて、出力範囲を規定する操作が完了したことをＣＰＵ２１に報知する範囲指定終了ボタン（図示省略）を備えている。尚、第１実施形態と同じ部分には同じ符号を付してその説明を省略する。
【０２１３】
範囲指定終了ボタンは、操作者にて操作（押下）されるボタンであり、出力範囲を規定する操作が完了したことをＣＰＵ２１に報知するためのものである。この範囲指定終了ボタンが、操作者により押下されると、ＣＰＵ２１は、出力範囲を規定する操作者の操作が完了したと判断し、読み取った画像データの出力動作を実行する。
【０２１４】
出力範囲を規定する操作は、操作者が任意に行う操作である。従って、必ずしも全ての頁に対して表示を行い出力範囲を規定する操作が行われるとは限られない。更には、第３実施形態の複合機１は、操作者による頁指定（テンキーよる数字入力）が行われると、その指定頁をＬＣＤ４１に表示するので、操作者は、出力範囲を規定する操作を、読み取られた頁順ではなくランダムに選択した頁順に実行し得る。このため、複合機１においては、指定操作が何回行われるか、言い換えれば、複合機１においては、出力範囲を規定する操作が完了たかは、最終頁に対する操作が行われた場合を除いて、未知となる。
【０２１５】
そこで、第３実施形態では、操作者によってなされる出力範囲を規定する操作が完了したことをＣＰＵ２１に報知するために、この範囲指定終了ボタンが設けられている。このため、ＣＰＵ２１は、この範囲指定終了ボタンの入力により、読み取った頁に対してなされるべき（操作者が所望する）出力範囲の規定が完了したことを、的確に把握することができる。
【０２１６】
この範囲指定終了ボタンが押下されたか否かは、１の頁の表示終了後の所定期間において判断され、その所定期間において、範囲指定終了ボタンの押下が検出されると、ＣＰＵ２１は、スキャナ３により読み取った画像データの出力動作を開始する。尚、第３実施形態においては、かかる所定期間においてのみ範囲指定終了ボタンの押下を検出するように複合機１を構成したが、これに代えて、範囲指定終了ボタンの状態を常時監視するように複合機１を構成すると共に、その範囲指定終了ボタンの押下が検出されたタイミングで、読み取った画像データの出力動作を開始するようにしても良い。
【０２１７】
また、ＬＣＤ４１に表示する頁は、出力頁カウンタ２３ｇの値にて指示されるが、第３実施形態においては、操作者によるテンキー入力により表示する頁を指定するので、出力頁カウンタ２３ｇの値は、テンキーからの入力値によって変更される。
【０２１８】
図１０は、第３実施形態で実行される表示編集処理のフローチャートである。この第３実施形態の表示編集処理も第１実施形態と同様に、図４に示す読取処理とマルチタスクで実行され、まず、出力頁カウンタ２３ｇが示す表示用メモリ２３ｂの先頭アドレスを算出する（Ｓ５１）。表示用メモリ２３ｂには、頁毎に画像データが書き込まれるが、出力範囲を規定する操作が行われると、非出力範囲となった部分の画像データが消去され、その分、次頁に記憶される画像データは繰り上げて記憶される。言い換えれば、記憶される画像データ量によって、第２表示用メモリ２３ｂ２以降の先頭アドレスが変更される。このため、Ｓ５１の処理において出力頁カウンタ２３ｇにて指定された表示用メモリ２３ｂ（第１表示用メモリ２３ｂ１〜第ｎ表示用メモリ２３ｂｎ）の先頭アドレスの算出を行う。尚、表示編集処理は、読取処理におけるスキャナ駆動前であって出力頁カウンタ２３ｇの値を１にセットした後に起動されるので、表示編集処理が起動された直後に実行されるＳ５１の処理においては、参照される出力頁カウンタ２３ｇの値は１となっている。従って、１頁目の画像データがまず、ＬＣＤ４１に出力される。
【０２１９】
そして、Ｓ５１の処理で算出したアドレスに基づき１ライン分の画像データの最後のデータが記憶されるアドレスをポインタメモリ２３ｃに書き込んだ後（Ｓ５２）、出力頁カウンタ２３ｇのカウント値が示す表示用メモリ２３ｂにおいてポインタメモリ２３ｃが示すアドレスに画像データが記憶されているかを確認して（Ｓ５３）、記憶されていなければ（Ｓ５３：Ｎｏ）、読み取られた画像データの１ラインが書き込まれるまでＳ２３以降の処理を待機し、一方、表示用メモリ２３ｂにおいてポインタメモリ２３ｃが示すアドレスに画像データが記憶されていれば（Ｓ５３：Ｙｅｓ）、その後、第１実施形態と同様に、表示用メモリ２３ｂに記憶される画像データを、その頁の最終ラインに到達するまで、遅延カウンタ２３ｅのカウント値が所定値（本実施形態では「１００」）に達する毎に１ラインずつ表示する（Ｓ２３〜Ｓ２８，Ｓ３１）。
【０２２０】
また、画像データの表示中に、一時停止キー４０Ｂ１が入力されると、そのタイミングでＬＣＤ４１に表示されている画像データを出力範囲として規定する。その後、戻しキー４０Ｂ３，４０Ｂ４がキー入力された場合には、規定された出力範囲を戻しキー４０Ｂ３，４０Ｂ４の入力操作に応じて変更し、確定キー４０Ｂ２が入力されることにより、一時停止キー４０Ｂ１の入力によって規定された出力範囲を（戻しキー４０Ｂ３，４０Ｂ４が操作された場合には、変更された範囲を出力範囲として）確定する（Ｓ３３〜３９）。ＬＣＤ４１における画像データの表示が最終ラインに到達した後、または、確定キー４０Ｂ２が押下された後は、次頁の有無を確認し（Ｓ２９）、次頁がなければ（Ｓ２９：Ｎｏ）、画像メモリ２３ａに記憶される画像データをファクシミリ送信するＦＡＸ送信処理（Ｓ３０）を実行して、この表示編集処理を終了する。
【０２２１】
第３実施形態の表示編集処理では、１頁目の表示が完了した後、或いは、１頁目の出力範囲が規定された（確定された）後において、ＬＣＤ４１に表示する２頁目以降の頁を、操作者のテンキー入力操作によって指定し得るように構成されている。これは、読み取り処理は表示処理よりも高速度で先行して進んでいるため、原稿１頁目の低速度による表示が行われている間に、画像メモリ２３ａ（表示用メモリ２３ｂ）には、次頁以降の複数頁の画像データが順次記憶されることになる。従って、操作者による次頁以降の頁指定が可能となるのである。Ｓ２９の処理において、次頁が有りと判断されると（Ｓ２９：Ｙｅｓ）、ウェイト処理を実行してから（Ｓ５４）、範囲指定終了ボタンが押下されたかを確認する（Ｓ５５）。
【０２２２】
ここで、範囲指定終了ボタンが押下されていた場合（Ｓ５５：Ｙｅｓ）、他の頁に対する出力範囲の規定は行われないこと、即ち、本読み取りに対する出力範囲を規定する処理は完了したことが示されている。従って、その処理をＦＡＸ送信処理（Ｓ３０）に移行して、画像メモリ２３ａ内の画像データのファクシミリ送信を実行する。
【０２２３】
一方、Ｓ５５の処理で確認した結果、範囲指定終了ボタンの押下がなければ（Ｓ５５：Ｎｏ）、テンキー入力がなされたかを確認する（Ｓ５６）。そして、テンキー入力がなされていた場合（Ｓ５６：Ｙｅｓ）、テンキーにより入力された数字（入力値）は、操作者が指定した頁として認識され、その入力値が入力頁カウンタ２３ｆの値以下であるかを確認する（Ｓ５７）。入力頁カウンタ２３ｆは、第１実施形態において説明したように、読取頁をカウントアップするカウンタであるので、そのカウント値により、読取中の頁が示されると共に、現在までに読み取った頁数が示されることとなる。例えば、入力頁カウンタ２３ｆのカウント値が「２」であれば、現在読取中の頁が２頁目であるか、或いは読み取った頁の総数が２頁であることを示している。かかる場合には、ＬＣＤ４１に表示可能な頁は２頁目の読取が完了している部分までとなる。故に、テンキーによる入力値を入力頁カウンタ２３ｆのカウント値と比較することにより、操作者が指定した頁が現在までに読取りが実行されている頁であって表示可能なものであるか否かを判断することができる。尚、指定可能な頁を操作者に認識させるために、入力頁カウンタ２３ｆの値は、非図示のステップにより、ＬＣＤ４１に表示され、読み取られた頁数、即ち、表示可能な頁が操作者に報知されるようになっている。
【０２２４】
このＳ５７の処理で確認した結果、テンキーからの入力値が入力頁カウンタ２３ｆの値以下であれば（Ｓ５７：Ｙｅｓ）、操作者指定の頁は表示可能なものであるので、表示する頁を操作者所望の頁とするために、出力頁カウンタ２３ｇのカウント値を入力値に更新する（Ｓ５８）。一方、テンキーからの入力値が入力頁カウンタ２３ｆの値を超えていれば（Ｓ５７：Ｎｏ）、操作者指定の頁は表示不能であるので、表示中の頁の次の頁の表示を指示するために、出力頁カウンタ２３ｇの値に１加算する（Ｓ５９）。尚、ここで、操作者が指定した頁が無効であるというメッセージを表示するように構成してもよい。また、Ｓ５６の処理で確認した結果、テンキー入力がなされていなかった場合も（Ｓ５６：Ｎｏ）、その処理をＳ５９の処理に移行する。
【０２２５】
Ｓ５８またはＳ５９の処理の後は、その処理をＳ５１の処理に移行し、出力頁カウンタ２３ｇのカウント値に応じてＳ５１以降の処理を実行する。このため、指定された頁がＬＣＤ４１に表示され、操作者の入力操作に応じて、その指定された頁に対する出力範囲を規定する処理が実行される。
【０２２６】
上記したように、第３実施形態では、Ｓ５５の処理において範囲指定終了ボタンの押下が確認されるとＦＡＸ送信処理（Ｓ３０）を実行する。このため、範囲指定終了ボタンが押下されると、例え、未表示の画像データがあってもその表示は実行されずに、ＦＡＸ送信処理（Ｓ３０）が開始されることとなる。従って、操作者により範囲指定された頁と範囲指定されていない頁とが混在して送信される。
【０２２７】
ここで、このＦＡＸ送信処理（Ｓ３０）で１ライン分の画像データを送信する処理に比して、読取処理における１ライン分の画像データの読み取りは高速で実行されるようになっており、また、表示編集処理と読取処理とは、マルチタスクで実行される。従って、範囲指定終了ボタンが押下されたタイミングで全ての原稿の読み取りが完了していなくても、少なくとも、次の１ラインの画像データの送信タイミングまでには、その１ラインの画像データは読み取られて画像メモリ２３ａに記憶されている。このため、全原稿の読取完了前に、範囲指定終了ボタンが押下されてＦＡＸ送信処理（Ｓ３０）が開始されても、読取原稿の画像データの全てを相手側のファクシミリ装置に送信することができ、読み取られた原稿の一部が未送信になるといった不具合が生じることはない。
【０２２８】
このように、第３実施形態によれば、ＬＣＤ４１に表示される頁を、操作者所望の頁表示に切り替えることができ、操作者は、その表示された所望の頁に対して出力範囲を規定するための操作を行うことができる。従って、複数頁の読取処理が実行された場合に、読み取った順に従って各頁を順次表示する場合に比べて、操作者所望の頁を表示するまでの表示待ち時間を短縮することができる（所望の頁が先頭頁である場合を除く）。言い換えれば、出力範囲の規定が不要な頁についてはその表示を省略することができ、効率的に、読取処理から出力処理に至るまでの一連の動作を効率的に行うことができる。
【０２２９】
次に、図１１から図１３を参照して、第４実施形態について説明する。上記の第１実施形態は、ＬＣＤ４１に表示される画像データ（読み取った原稿の画像データ）そのものによって、出力範囲が規定されるように構成した。つまり、ＬＣＤ４１には１ラインずつ画像データを順次表示し、一時停止キー４０Ｂ１が入力されると、そのタイミングで表示されている画像データが、（戻しキー４０Ｂ３，４０Ｂ４の入力操作にて変更可能としつつも）そのまま出力範囲として規定されるように複合機１を構成した。これに代えて、第４実施形態では、所定単位の画像データとして例えば頁全体の画像データを１度に表示すると共に、表示された１の頁の画像データ上をスライドする選択バーをマーカとして表示し、その選択バーの位置によって画像データの出力範囲を規定するように構成されている。
【０２３０】
また、第４実施形態においても、第３実施形態と同様に、複合機１は、操作者の操作に基づいてＬＣＤ４１に表示する頁（表示画面上において最前面に現出させる頁）を指定できるようになっており、第３実施形態の複合機１に設けられたのと同様の範囲指定終了ボタンが設けられている。更には、第４実施形態においては、２本の選択バーによって、出力範囲の後端のみならず、出力範囲の先端についても規定することができるように複合機１は構成されており、選択バーによる画像データの出力範囲の規定を実現するために、第１実施形態におけるポインタメモリ２３ｃには、第１ポインタメモリ２３ｃ１と第２ポインタメモリ２３ｃ２とが設けられている。また、退避メモリ２３ｈ、後端フラグ２３ｊがＲＡＭ２３に設けられている（図１１参照）。
【０２３１】
更には、第４施形態においては、一時停止キー４０Ｂ１の押下によって静止表示される画像は選択バーの表示であり、また、戻しキー４０Ｂ３，４０Ｂ４の操作に応じて変更されるものは、選択バーの表示位置となっている。
【０２３２】
第４実施形態においては、画像データの出力範囲は、表示された画像データ上の２本の選択バーの相対位置関係によって規定される。第４実施形態おいては、この画像データ上に表示される２本の選択バーの内、より原稿の読取開始端側に近い方を先端側の選択バー、他方の選択バーを後端側の選択バーと称す。尚、第１実施形態と同じ部分には同じ符号を付してその説明を省略する。
【０２３３】
図１１は、第４実施形態の複合機１の電気的構成を示すブロック図である。ＲＡＭ２３には、上記したように第１ポインタメモリ２３ｃ１、第２ポインタメモリ２３ｃ２、退避メモリ２３ｈ、後端フラグ２３ｊが設けられている。
【０２３４】
第１ポインタメモリ２３ｃ１、第２ポインタメモリ２３ｃ２は、選択バーの表示位置を示すアドレスを記憶するためのメモリである。第４実施形態においては、２本の選択バーに挟まれた領域を出力範囲として規定する。このため、２本の選択バーの位置をそれぞれ記憶する第１ポインタメモリ２３ｃ１と第２ポインタメモリ２３ｃ２とが設けられている。具体的には、第１ポインタメモリ２３ｃ１、第２ポインタメモリ２３ｃ２に記憶されるアドレスは、選択バーの画像データを書き込む表示用メモリ２３ｂのアドレスであって、書込位置の先頭アドレスが示されている。
【０２３５】
表示用メモリ２３ｂに記憶される画像データは、ＬＣＤコントローラ２８に設けられた内蔵メモリに書き込まれてＬＣＤ４１に表示される。かかる内蔵メモリは、ＬＣＤ４１の画面上の各画素の座標に対応させて画像データを記憶する。表示用メモリ２３ｂに記憶される画像データは、ＬＣＤ４１の表示画面において、いずれの位置（座標）に表示させるかは予め定められているので、内蔵メモリにおいてその座標に対応する位置に書き込まれる。
【０２３６】
ここで、選択バーをＬＣＤ４１に表示するには、選択バーの画像データがＬＣＤコントローラ２８の内蔵メモリに書き込まれていなくてはならない。つまり、表示用メモリ２３ｂに記憶される読み取った画像データの内、選択バーの表示される部分の画像データを、選択バーの画像データに差し替える必要がある。選択バーは１ピクセルの幅で、画像データの１ライン分、原稿の幅方向にのびる直線で表示される画像である。
【０２３７】
先端側の選択バーを表示する場合には第１ポインタメモリ２３ｃ１が、後端側の選択バーを表示する場合には第２ポインタメモリ２３ｃ２がＣＰＵ２１に参照され、各ポインタメモリ２３ｃ１，２３ｃ２に記憶されるアドレスから後方へ所定数ｎ分の番地（１ラインの画像データに相当するアドレス数分）において、画像データの差し替えが実行される。
【０２３８】
第４実施形態においては、選択バーは、まず、１ライン目の画像データの表示位置に表示されるので、かかる位置（先頭ライン）に選択バーを表示するべく、表示用メモリ２３ｂにおける１ライン目の画像データの先頭アドレスが初期値として各ポインタメモリ２３ｃ１，２３ｃ２に書き込まれる。その後、所定数ｎずつ加算されて各ポインタメモリ２３ｃ１，２３ｃ２に記憶されるアドレスは更新される。これにより、１ライン目から原稿下端へ向かって１ラインずつ移動させつつ選択バーが表示されることとなる。
【０２３９】
退避メモリ２３ｈは、表示用メモリ２３ｂに記憶される画像データを退避させるためのメモリである。上記したように、選択バーの表示に際しては、選択バーの画像データが、表示用メモリ２３ｂの画像データに上書きされる（差し替えの実行）。選択バーの画像データの書込みに先立って、その書込領域となる所定数ｎ分のアドレスに記憶される画像データが、この退避メモリ２３ｈに退避される。このため、選択バーの画像データが表示用メモリ２３ｂに書き込まれても、元の画像データが失われることはない。退避メモリ２３ｈに退避された画像データは、選択バーの表示が次のラインに移動するタイミングで、表示用メモリ２３ｂの元のアドレスに書き込まれる。そして、次のラインの画像データの退避メモリ２３ｈへの退避が実行される。
【０２４０】
後端フラグ２３ｊは、表示編集処理において、出力範囲の先端を規定する段階であるか、出力範囲の後端を規定する段階であるかを示すフラグである。この後端フラグ２３ｊは、表示編集処理が開始されるとオンされ、後端側の選択バーによって出力範囲を規定する段階、即ち、出力範囲の後端を規定する段階であることが内部的に示される。
【０２４１】
また、オンされた後端フラグ２３ｊは、一時停止キー４０Ｂ１の入力後に、更に確定キー４０Ｂ２が入力されるとオフされる。つまり、一時停止キー４０Ｂ１の入力およびその後の確定キー４０Ｂ２の入力は、出力範囲の後端が規定（確定）されたことを示している。言い換えれば、出力範囲の後端は既に規定されたので、出力範囲の先端側の規定を行う段階であることを内部的に示すためにこの後端フラグ２３ｊはオフされる。
【０２４２】
表示編集処理においては、ＣＰＵ２１はこの後端フラグ２３ｊの状態を参照し、オンであると、出力範囲の後端を規定するための処理が実行される。一方、オフであれば、出力範囲の先端を規定するための処理が実行される。これにより、第４実施形態においては、表示編集処理開始後に直ちに表示される１本目の選択バーは、出力範囲の後端側を規定する後端側の選択バーとなり、その後に表示される２本目の選択バーは、出力範囲の先端側を規定する先端側の選択バーとなる。
【０２４３】
図１２は、第４実施形態の表示編集処理を示したフローチャートである。第４実施形態の表示編集処理も第１実施形態と同様に、図４に示す読取処理とマルチタスクで実行され、まず、出力頁カウンタ２３ｇが示す表示用メモリ２３ｂに記憶される画像データをＬＣＤ４１に出力する（Ｓ６０）。このＳ６０の処理において、本実施形態では１頁分の画像データの出力が行われる。対応する表示用メモリ２３ｂに未だ１頁分の画像データが記憶されていなければ、１頁分の画像データが記憶されるまでウェイトした後にこのＳ６０の処理は実行される。尚、表示編集処理の起動直後は、出力頁カウンタ２３ｇの値は「１」にセットされているので、１頁目の画像データが表示される。
【０２４４】
その後、第２ポインタメモリ２３ｃ２に出力頁カウンタ２３ｇが示す表示用メモリ２３ｂの先頭のアドレス、即ち画像データの１ライン目の先頭のデータが記憶されているアドレスをセットする（Ｓ６１）。次いで、後端フラグ２３ｊをオンして（Ｓ６２）、退避処理を実行する（Ｓ６３）。この退避処理（Ｓ６３）は、後端フラグ２３ｊの状態に対応するポインタメモリ２３ｃ１，２３ｃ２に記憶されるアドレスから後方側へ所定数ｎ分のアドレスに記憶される画像データを退避メモリ２３ｈに書き込む処理と、その書込処理に先立って、退避メモリ２３ｈに記憶されている画像データを、表示用メモリ２３ｂの前回読み出した位置に書き込む処理とを実行するものである。
【０２４５】
尚、第４実施形態においては、後端フラグ２３ｊの状態に対応するポインタメモリとは、後端フラグ２３ｊがオンである場合には、第２ポインタメモリ２３ｃ２が該当し、後端フラグ２３ｊがオフである場合には、第１ポインタメモリ２３ｃ１が該当する。
【０２４６】
そして、表示用メモリ２３ｂに対し、後端フラグ２３ｊの状態に対応するポインタメモリ２３ｃ１，２３ｃ２に記憶されるアドレスから後方側において所定数ｎのアドレス（所定数ｎ個分のアドレス）に選択バーの画像データを書込み、表示用メモリ２３ｂの画像データをＬＣＤ４１に出力する（Ｓ６４）。その後、遅延カウンタ２３ｅに０をセットしてから（Ｓ６５）、一時停止キー４０Ｂ１が押下されたかを確認する（Ｓ６６）。ここで、一時停止キー４０Ｂ１が未操作であれば（Ｓ６６：Ｎｏ）、遅延カウンタ２３ｅのカウント値に１加算してから（Ｓ６７）、そのカウント値が１００未満であるかを確認する（Ｓ６８）。遅延カウンタ２３ｅのカウント値が１００未満であれば（Ｓ６８：Ｙｅｓ）、所定の時間（遅延時間、即ち待機時間）は未だ経過していないので、その処理をＳ６６処理に移行して、一時停止キー４０Ｂ１の入力または、遅延時間の経過（遅延カウンタ２３ｅの値が１００に到達）を待機する。これにより、順次移動表示する選択バーについて、先のライン位置における表示から直ちに次のライン位置における表示に移行するのではなく、遅延カウンタ２３ｅにおけるカウント分、表示の移動を遅延させることができる。つまり、原稿の読み取りにおいては、先のラインの読み取り後、遅延させることなく直ちに次のラインの読み取りが行われるので、かかる原稿の読取速度に比べて、選択バーの表示速度を遅い速度とすることができる。
【０２４７】
一方、遅延カウンタ２３ｅのカウント値が１００以上であれば（Ｓ６８：Ｎｏ）、後端フラグ２３ｊがオンであるかを確認し（Ｓ６９）、後端フラグ２３ｊがオンであると（Ｓ６９：Ｙｅｓ）、出力範囲の後端を規定する段階であるので、第２ポインタメモリ２３ｃ２に記憶されるアドレス値が、その表示用メモリ２３ｂにおける最終アドレスからｎ減算した値（最終ラインの先頭アドレス）未満かを確認する（Ｓ７０）。ここで、第２ポインタメモリ２３ｃ２に記憶されるアドレス値が、最終アドレス−ｎの値に未満であれば（Ｓ７０：Ｙｅｓ）、未だ移動可能な領域が残存している。第２ポインタメモリ２３ｃ２に記憶されるアドレス値がかかる値に到達していない場合には、操作者が、ＬＣＤ４１の表示画面上において所望の位置に選択バーが到達することを待機している可能性があるので、第２ポインタメモリ２３ｃ２に記憶されるアドレス値に所定数ｎを加算した後（Ｓ７３）、その処理をＳ６３の処理に移行する。これにより、選択バーの表示は１ライン分後端側へ移動されて、次の１ラインに対応する位置に表示される。
【０２４８】
また、Ｓ７０の処理で確認した結果、第２ポインタメモリ２３ｃ２に記憶されるアドレス値が、最終アドレスからｎ減算した値未満でなければ（Ｓ７０：Ｎｏ）、最終ラインの位置まで選択バーが到達しているので、表示中の頁に対して、操作者による範囲規定は行われなかったと判断し、次頁があるかを入力頁カウンタ２３ｆのカウント値と出力頁カウンタ２３ｇのカウント値とを比較して、確認する（Ｓ７１）。そして、次頁が無い場合には（Ｓ７１：Ｎｏ）、第１実施形態のＦＡＸ送信処理（Ｓ３０）と同様に構成されるＦＡＸ送信処理を実行して（Ｓ７２）、この表示編集処理を終了する。
【０２４９】
また、Ｓ６６の処理で確認した結果、一時停止キー４０Ｂ１が入力されていると（Ｓ６６：Ｙｅｓ）、ＬＣＤ４１における選択バー表示の進行を一時停止するための停止指令の入力である。停止指令の入力によりＳ６６の処理でＮｏに分岐すると、ＬＣＤ４１の表示を更新するＳ６４，Ｓ７３へ移行するルートが回避される。故に、選択バーは新たな位置に表示されないので、現在の表示位置に静止表示されることとなる。そして、戻しキーが入力されたかを確認する（Ｓ７６）。
【０２５０】
そして、戻しキー４０Ｂ３，４０Ｂ４の入力があれば（Ｓ７６：Ｙｅｓ）、一時停止キー４０Ｂ１のキー入力によって規定された出力範囲に対する変更要求である。このため、そのキー入力による出力範囲の変更方向が、戻しキー４０Ｂ３操作による出力範囲を縮小させる戻し方向であるか、戻しキー４０Ｂ４操作による出力範囲を拡張させる復帰方向であるかを確認する（Ｓ７７）。
【０２５１】
確認の結果、変更方向が戻し方向であると（Ｓ７７：戻し方向）、後端フラグ２３ｊの状態に応じたポインタメモリ２３ｃ１，２３ｃ２に記憶されるアドレス値から所定数ｎを減算してから（Ｓ７８）、また、変更方向が復帰方向であると（Ｓ７７：復帰方向）、後端フラグ２３ｊの状態に応じたポインタメモリ２３ｃ１，２３ｃ２に記憶されるアドレス値に所定数ｎを加算してから（Ｓ７９）、Ｓ６３と同様に構成される退避処理を実行し（Ｓ８０）、更に、表示用メモリ２３ｂに対し、後端フラグ２３ｊの状態に対応するポインタメモリ２３ｃ１，２３ｃ２に記憶されるアドレスから後方側において所定数ｎのアドレス（所定数ｎ個分のアドレス）に選択バーの画像データを書込み、表示用メモリ２３ｂの画像データをＬＣＤ４１に出力する（Ｓ８１）。
【０２５２】
これにより、後端フラグ２３ｊがオンであった場合には、１本目の選択バー（後端側の選択バー）の表示位置が変更され、また、後端フラグ２３ｊがオフであった場合には、２本目の選択バー（先端側の選択バー）の表示位置が変更される。
【０２５３】
その後、確定キー４０Ｂ２が押下されたかを確認し（Ｓ８２）、その結果、確定キー４０Ｂ２が押下されていると（Ｓ８２：Ｙｅｓ）、後端フラグ２３ｊがオンかを調べ（Ｓ８３）、ここで後端フラグ２３ｊがオンであれば（Ｓ８３：Ｙｅｓ）、上記した処理により出力範囲の後端が規定された（後端の確定）と判断できるので、後端フラグ２３ｊをオフし（Ｓ８４）、出力頁カウンタ２３ｇが示す表示用メモリ２３ｂの先頭アドレスを第１ポインタメモリ２３ｃ１にセットした後（Ｓ８５）、その処理をＳ６３の処理に移行する。このため、Ｓ６３の処理に移行した後は、２本目の選択バー（先端側の選択バー）が画像データの１ライン目の位置に表示され、出力範囲の先端を規定する処理が行なわれる。尚、後端側の選択バーの表示は、Ｓ６３の処理に移行した後も継続される。また、選択バーの表示位置に対応する各画像データは、今回読み取られた一連の画像データが出力されるまで、ＲＡＭ２３の所定領域において保持される。
【０２５４】
また、Ｓ８３の処理で確認した結果、後端フラグ２３ｊがオフであると（Ｓ８３：Ｎｏ）、実行中の処理は、出力範囲の先端を規定するためのものとなっている。故に、出力頁カウンタが示す表示用メモリ２３ｂと、その対応する画像メモリ２３ａの領域において、第１ポインタメモリ２３ｃ１に記憶されるアドレスから第２ポインタメモリ２３ｃ２に記憶されるアドレスに（ｎ−１）を加算したアドレス位置まで（即ち、第２ポインタメモリ２３ｃ２に記憶されるアドレスを先頭とするラインの最後のデータまで）の画像データ以外の画像データを消去する（Ｓ８６）。ここで消去されなかった画像データが、当該頁における画像データの出力範囲となる。このＳ８６の処理により、第４実施形態では、選択バーの表示位置の画像データについても出力範囲として含まれる。そして、その後、その処理をＳ７１の処理に移行する。尚、このＳ７１の処理において画像データを消去した場合には、非図示のステップによって、画像メモリ２３ａ及び表示用メモリ２３ｂのデータシフトが実行される。
【０２５５】
一方、Ｓ６９の処理で確認した結果、後端フラグ２３ｊがオフであれば（Ｓ６９：Ｎｏ）、先端側の選択バーが後端側の選択バーよりも後端側へ配置されることを禁止するために、先端側の選択バーの現在位置を示す値であって第１ポインタメモリ２３ｃ１に記憶されるアドレス値が、第２ポインタメモリ２３ｃ２に記憶されるアドレス値からｎを減算した値未満かを確認する（Ｓ７４）。第２ポインタメモリ２３ｃ２に記憶されるアドレス値は、既に確定された後端側の選択バーの位置を示す値であるので、出力範囲の先端を規定する段階に遷移しているＳ７４の処理の実行時においては、固定値となっている。このＳ７４の処理では、更に、選択バーを１ライン分移動させた場合に、後端側の選択バーに先端側の選択バーとが重なることを避けるために、先端側の選択バーの現在位置が、後端側の選択バーの位置から更に１ライン分を超える距離隔てられた位置にあるかを調べるのである。
【０２５６】
その結果、第１ポインタメモリ２３ｃ１に記憶されるアドレス値が、第２ポインタメモリ２３ｃ２に記憶されるアドレス値からｎを減算した値未満であれば（Ｓ７４：Ｙｅｓ）、第１ポインタメモリ２３ｃ１に記憶されるアドレス値にｎ加算してから（Ｓ７５）、その処理をＳ６３の処理に移行する。これにより、第１ポインタメモリ２３ｃ１に記憶されるアドレス値が、第２ポインタメモリ２３ｃ２に記憶されるアドレス値からｎを減算した値を超えない範囲において、ｎずつ更新されて、２本目の選択バーの表示は１ライン分ずつ移動されることとなる。
【０２５７】
また、Ｓ７４の処理で確認した結果、第１ポインタメモリ２３ｃ１に記憶されるアドレス値が、第２ポインタメモリ２３ｃ２に記憶されるアドレスからｎを減算した値以上であれば（Ｓ７４：Ｎｏ）、次の１ラインの移動により先端側の選択バーが、後端側の選択バーに重なってしまうので、これを回避するために、その処理をＳ８５の処理に移行し、先端側の選択バーの表示位置を１ライン目の位置に復帰させる。これにより、先端側の指定を再度実行可能となる。
【０２５８】
更に、Ｓ７１の処理で確認した結果、次頁があると判断されると（Ｓ７１：Ｙｅｓ）、第３実施形態と同様に、ウェイト処理を実行してから（Ｓ８７）、範囲指定終了ボタンが押下されたかを確認する（Ｓ８８）。ここで、範囲指定終了ボタンが押下されていた場合（Ｓ８８：Ｙｅｓ）、他の頁に対する出力範囲の規定は行われないこと、即ち、本読み取りに対する出力範囲を規定する処理は完了したことが示されている。従って、その処理をＦＡＸ送信処理（Ｓ７２）に移行して、画像データのファクシミリ送信を実行する。
【０２５９】
一方、Ｓ８８の処理で確認した結果、範囲指定終了ボタンの押下がなければ（Ｓ８８：Ｎｏ）、テンキー入力がなされたかを確認する（Ｓ８９）。そして、テンキー入力がなされていた場合（Ｓ８９：Ｙｅｓ）、その入力値が入力頁カウンタ２３ｆの値以下であるかを確認する（Ｓ９０）。その結果、テンキーからの入力値が入力頁カウンタ２３ｆの値以下であれば（Ｓ９０：Ｙｅｓ）、操作者指定の頁は表示可能なものであるので、表示する頁を操作者所望の頁とするために、出力頁カウンタ２３ｇのカウント値を入力値に更新する（Ｓ９１）。一方、テンキーからの入力値が入力頁カウンタ２３ｆの値を超えていれば（Ｓ９０：Ｎｏ）、操作者指定の頁は表示不能であるので、表示中の頁の次の頁の表示を指示するために、出力頁カウンタ２３ｇの値に１加算する（Ｓ９２）。また、Ｓ８９の処理において確認した結果、テンキー入力がなされていなければ（Ｓ８９：Ｎｏ）、その処理をＳ９２の処理に移行する。Ｓ９１またはＳ９２の処理の後は、その処理をＳ６０の処理に移行し、出力頁カウンタ２３ｇのカウント値に応じてＳ６０以降の処理を実行する。このため、指定された頁がＬＣＤ４１に表示され、操作者の入力操作に応じて、その指定された頁に対する出力範囲を規定する処理が実行される。
【０２６０】
更に、Ｓ７６の処理で確認した結果、戻しキー４０Ｂ３，４０Ｂ４の入力がなければ（Ｓ７６：Ｎｏ）、その処理をＳ８２の処理に移行する。また、Ｓ８２の処理で確認した結果、確定キー４０Ｂ２が押下（入力）されていなければ（Ｓ８２：Ｎｏ）、その処理をＳ７６の処理に移行し、戻しキー４０Ｂ３，４０Ｂ４または確定キー４０Ｂ２の入力を待機する。
【０２６１】
即ち、一時停止キー４０Ｂ１の押下により選択バーの移動表示を停止させた場合には、暫定的に選択バーの位置（即ち出力範囲の先端または後端）が規定された状態であり、確定キー４０Ｂ２が押下されなければ、選択バーの位置は確定されない。言い換えれば、選択バーによって規定された出力範囲（その先端または後端）は、確定キー４０Ｂ２が入力されるまでの期間において、戻しキー４０Ｂ３，４０Ｂ４の操作によって変更することができるようになっている。
【０２６２】
尚、指定可能な頁を操作者に認識させるために、入力頁カウンタ２３ｆの値は、非図示のステップにより、ＬＣＤ４１に表示され、読み取られた頁数、即ち、表示可能な頁が操作者に報知されるようになっている。
【０２６３】
図１３は、第４実施形態の表示編集処理が実行された場合にＬＣＤ４１に表示される表示画面例を示した図である。この図１３においては、Ａ４サイズの原稿を用いて読み取りが行われた場合を例示している。
【０２６４】
表示画面内には、読み取り原稿の原稿サイズにて規定される枠（図１３の例では、Ａ４サイズに対応する枠）が表示されており、その枠内に、表示用メモリ２３ｂから読み出された画像データが、頁単位で表示される。図１３（ａ）には、読み取られた１の頁の全画像データが最前面に表示された状態が図示されている。かかる状態において、更に選択バーが表示される。ここで、テンキー入力により頁が指定された場合には、その頁の画像データが頁単位で表示される。また、表示画面内の右上方には、読取ページ数として、入力頁カウンタ２３ｆの値が表示されている。これにより、操作者に、いずれの頁までが指定可能であるかが報知されている。
【０２６５】
図１３（ｂ）は、２本の選択バーにより、画像データの出力範囲が規定された状態を示している。先端側および後端側のいずれの選択バーも、図面左側から右側、即ち、読取開始端側から読取終端側へと移動される。そして、後端側の選択バーは、一時停止キー４０Ｂ１の入力操作によって、Ｔ２の位置に停止された状態となっている。また、先端側の選択バーは、一時停止キー４０Ｂ１の入力操作によって、Ｔ１の位置に停止された状態となっている。従って、かかる頁においてその出力範囲は、Ｔ１とＴ２とに囲まれた画像データの範囲となる。
【０２６６】
このように、第４実施形態の複合機１によれば、選択バーを移動表示させ、また、その移動を一時停止キー４０Ｂ１の入力操作によって停止させることにより、１頁の画像データに対し、出力範囲を規定することができる。また、出力範囲の先端側と後端側との両方を規定することができる。
【０２６７】
尚、第４実施形態では、１の頁全体を１画面で表示する構成としたが、１の頁よりも小さい領域を所定単位として画像データをＬＣＤ４１に表示するようにしても良い、また、第４実施形態の複合機１を、第３実施形態のスクロールを実行する手段を備えた構成としても良い。
【０２６８】
尚、請求項に記載の「記憶部に記憶された画像データを、所定順に従って順次、前記表示器に表示する」とは、画像メモリ２３ａから表示用メモリ２３ｂに書き込まれた画像データを、このＬＣＤコントローラ２８の内蔵メモリへ書き込む書込動作と、かかる内蔵メモリからのＬＣＤ４１への出力動作とを含む一連の動作によって、ＬＣＤ４１に読取順に従った画像データの表示を行うことが該当する。
【０２６９】
以上上記各実施形態に基づき本発明を説明したが、本発明は上記各実施形態に何ら限定されるものでなく、本発明の趣旨を逸脱しない範囲内で種々の改良変形が可能であることは容易に推察できるものである。
【０２７０】
例えば、上記各実施形態の表示編集処理においては、原稿の読み取りが原稿下端に達した場合には、出力範囲の変更は不能とされた。これに代えて、読み取りが原稿下端に達したと判断された後に、所定時間は、戻しキー４０Ｂ３，４０Ｂ４の入力を待機し、入力があれば、確定キー４０Ｂ２の入力によって出力範囲を確定するまで、出力範囲の変更を可能としても良い。
【０２７１】
更には、上記各実施形態では、遅延カウンタ２３ｅによって、表示の遅延時間を計時するように構成したが、これに代えて、例えば、内蔵されるタイマ回路等で遅延時間を計時するようにしても良い。また、上記各実施形態においては、表示編集処理において、遅延カウンタ２３ｅのカウント値が例えば１００となることにより表示を実行した。つまり、表示を待機（遅延）させるためにカウントする値を１００としたが、これに限られるものではなく、１００より小さくても、大きくても良い。
【０２７２】
加えて、上記各実施形態においては、遅延カウンタ２３ｅにてカウントする値（遅延時間）は、固定の値とした。これに代えて、例えば、表示パネル４からの所定の入力操作によって、遅延カウンタ２３ｅにてカウントさせる値を入力可能に構成し、表示編集処理において遅延カウンタ２３ｅにてカウントする値をその入力された任意の値とする（入力された値までカウントアップする）ように複合機１を構成しても良い。これによれば、画像データが１ライン毎にＬＣＤ４１に表示される表示速度、又は、選択バーを移動表示する速度を入力値に応じて変更することができ、操作者の作業レベルに応じた適切な速度での表示を実行することができる。尚、表示速度を変更（切替）するためのスイッチを設けると共に、スイッチの状態に対応して定めた異なる値を予め記憶する構成とし、このスイッチの状態に応じて、遅延カウンタ２３ｅにてカウントする値を選択する構成としても良い。つまり、ＣＰＵ２１が、遅延カウンタ２３ｅの値が設定した値に到達したかを判断する際に、毎回、スイッチの状態を参照して、その状態に応じてカウントの終了を判断する構成とする。スイッチの状態に応じて選択された値が大きくなるほど、表示速度は遅くなるので、操作者が、スイッチの切替を実行すれば、出力範囲を規定する一連の操作中において、ＬＣＤ４１における表示速度を変更することができる。これによれば、より低速で表示が進行するＬＣＤ４１を視認しつつ、操作者は一時停止キー４０Ｂ１の押下タイミングを的確に判断でき、所望の出力範囲を確実に規定することができる。その上、読み取ったページを順次表示する場合には、出力範囲を規定する必要のない原稿を、出力範囲を規定する際よりも高速で表示でき、処理全体にかかる時間を短縮することができる。
【０２７３】
また、上記各実施形態における表示編集処理においては、画像メモリ２３ａ、表示用メモリ２３ｂには、読み取った画像データが操作者の操作によって消去された場合には、データシフトを行って、異なる頁の画像データを連続して記憶させることとした。これに代えて、データシフトは行わず、各頁の画像データの終端のアドレスを管理する管理メモリを設け、ＬＣＤ４１および出力先装置への出力に際しては、かかる管理メモリに記憶されるアドレスに基づいて、画像データを読み出し、その表示および出力が連続的になされるようにしても良い。
【０２７４】
加えて、第３及び第４実施形態においては、表示編集処理において次頁の有無を判断するステップを設け、次頁がないと判断された場合にはＦＡＸ送信処理Ｓ３０，Ｓ７２を実行するように構成された。この次頁の有無の判断にかえて、範囲指定終了ボタンの押下の有無によってＦＡＸ送信処理（Ｓ３０，Ｓ７２）に移行するように構成しても良い。第３及び第４実施形態では、ランダムに選択される頁に対して出力範囲を規定することができるので、例えば、５頁の読取原稿があった場合には、操作者は、１頁目の原稿の画像データに対して出力範囲を規定した後に、２，３頁を飛ばして、４頁目の原稿の画像データを表示させて出力範囲の規定してから、２頁目の画像データを表示して出力範囲を規定するという手順で操作を進めることができる。ところが、５頁目が表示されてしまった時点で、操作者が４頁目以前に出力範囲を規定するべき頁が残存していることに気付いた場合には、これを行うことができない。そこで、第３及び第４実施形態の表示編集処理において、操作者が出力範囲の規定を終えたことを範囲指定終了ボタンの押下によって判断し、範囲指定終了ボタンの押下されることを契機として、ＦＡＸ送信処理Ｓ３０，Ｓ７２へ移行する構成としてもよい。つまり、最終頁が表示された後でも、先の頁に戻って、出力範囲の規定を実行することができるようしても良い。
【０２７５】
加えて、上記の第３及び第４実施形態において、ウェイト処理（Ｓ５４，Ｓ８７）の期間において指定頁の入力または範囲指定終了ボタンの入力が可能であることを操作者に容易に認識させるために、ウェイト処理（Ｓ５４，Ｓ８７）の期間中、指定頁の入力または範囲指定終了ボタンの入力を要求する表示をＬＣＤ４１に現出させるようにしてもよい。
【０２７６】
また、上記第３及び第４実施形態では、１頁目の表示終了後において、任意の頁指定と範囲指定終了ボタンの押下に基づく動作とを実行可能に構成したが、これに代えて、表示編集処理が起動されると、両者を実行可能としても良い。また、上記第３及び第４実施形態では、テンキー入力による頁指定と範囲指定終了ボタン入力による出力範囲規定完了の報知とを実行し得る期間は、１の頁の表示が終了したタイミング（ウェイト処理（Ｓ５４，Ｓ８７）の期間）に限定された。これに代えて、表示編集処理の実行中において、テンキーの入力と範囲指定終了ボタンの入力とを常時監視すると共に、その入力がＣＰＵ２１に認識されると（その入力がなされたタイミングで）、直ちに、指定頁の表示や、ＦＡＸ送信処理（Ｓ３０，Ｓ７２）への移行を実行するように表示編集処理を構成しても良い。これによれば、１の頁の表示途中であっても、直ちに、他頁の表示やＦＡＸ送信処理（Ｓ３０）への移行を実行することができる。
【０２７７】
さらに、上記第４実施形態においては、指定範囲の先端と後端とを指定する構成であったが、例えば、先端は原稿の先端側として、後端のみを選択バーにより指定する構成であってもよく、逆に後端は原稿の後端側であって、先端のみを選択バーにより指定する構成であってもよい。また、選択バーの移動により特定範囲が変更される方式に限らず、表示中の画像の色が特定範囲の変更に伴って変更されるような方式であってもよい。例えば、当初の画像の色が黒であって、不要とする画像部分（非特定範囲）がグレーで徐々に表示されるような方式であってもよく、選択バー以外の別のマークにより表示されてもよい。
【０２７８】
また、画像データの特定範囲が更新される例として、上記第１実施形態においては、画像データが徐々に増加する場合を示して説明したが、例えば、一頁目の読み取りが完了してからその一頁の全体の表示を行い、選択される画像データの範囲が徐々に狭くなるように画像データの表示が削減されていくような構成であってもよい。
【図面の簡単な説明】
【０２７９】
【図１】本発明の一実施形態における読取装置としての複合機の外観構成を示す斜視図である。
【図２】操作パネルの部分平面図である。
【図３】複合機の電気的構成を示すブロック図である。
【図４】複合機にて実行される読取処理のフローチャートである。
【図５】複合機にて実行される表示編集処理のフローチャートである。
【図６】図５の表示編集処理の中で実行されるＦＡＸ送信処理のフローチャートである。
【図７】画像メモリおよび表示用メモリのメモリ動作を模式的に示した図である。
【図８】原稿の読取が実行された場合の表示画面例を示した図である。
【図９】第２実施形態における表示画面例を示した図である。
【図１０】第３実施形態の表示編集処理のフローチャートである。
【図１１】第４実施形態の複合機の電気的構成を示すブロック図である。
【図１２】第４実施形態の表示編集処理のフローチャートである。
【図１３】第４実施形態の表示画面例である。
【符号の説明】
【０２８０】
１  複合機（読取装置）
３  スキャナ（読取手段）
４  操作パネル（操作部）
２２ａ  制御プログラム
２３ａ  画像メモリ（記憶部の一部）
２３ｃ  ポインタメモリ（特定範囲情報記憶手段）
２３ｂ  表示用メモリ（記憶部の一部）
２３ｄ  動作モードフラグ（装置指定手段の一部）
２３ｅ  遅延カウンタ（タイミング制御手段の一部）
２８  ＬＣＤコントローラ（表示制御手段の一部）
４０  操作キー（操作子）
４０Ａ１〜４０Ａ３  動作モード選択キー（装置指定手段の一部）
Ｓ９，Ｓ１０  画像データ記憶手段、画像データ記憶ステップ
Ｓ２３，Ｓ６４  表示制御手段、表示制御ステップ
Ｓ６４  マーカ表示手段
Ｓ２３，Ｓ３１，Ｓ６４，Ｓ７３  特定範囲管理手段、特定範囲管理ステップ
Ｓ２５，Ｓ７６  指令検出手段、指令検出ステップ
Ｓ２６，Ｓ２７，Ｓ６７，Ｓ６８  タイミング制御手段の一部，
Ｓ２６，Ｓ６７  カウント手段
Ｓ３３，Ｓ７６  変更情報検出手段
Ｓ３５〜Ｓ３８，Ｓ７８〜Ｓ８１  変更手段
【図１】
2008011373.tif 000003
【図２】
2008011373.tif 000004
【図３】
2008011373.tif 000005
【図４】
2008011373.tif 000006
【図５】
2008011373.tif 000007
【図６】
2008011373.tif 000008
【図７】
2008011373.tif 000009
【図８】
2008011373.tif 000010
【図９】
2008011373.tif 000011
【図１０】
2008011373.tif 000012
【図１１】
2008011373.tif 000013
【図１２】
2008011373.tif 000014
【図１３】
2008011373.tif 000015